(57)【要約】  無線で通信する無線通信端末が開示される。無線通信端末は、送受信部と、前記送受信部を介して受信された無線信号または前記送受信部を介して送信される無線信号をプロセスするプロセッサと、を含む。前記プロセッサは、前記無線通信端末が前記ベース通信端末に伝送するデータの優先度に応じてチャネルにアクセスする。
2019527005.tif 000002
【特許請求の範囲】
【請求項１】
ベース無線通信端末と無線で通信する無線通信端末において、
送受信部と、
前記送受信部を介して受信された無線信号または前記送受信部を介して送信される無線信号をプロセスするプロセッサと、
を含み、
前記プロセッサは、
前記無線通信端末が前記ベース無線通信端末に伝送するデータの優先度に応じてチャネルアクセスする
無線通信端末。
【請求項２】
前記プロセッサは、
前記ベース無線通信端末が前記無線通信端末のマルチユーザ上り伝送の参加をトリガーするのかに基づき、前記チャネルアクセスのために使用されるパラメータの集合であるパラメータセットを第１パラメータセットから第２パラメータセットに転換する
請求項１に記載の無線通信端末。
【請求項３】
前記プロセッサは、
前記送受信部を使用して前記ベース無線通信端末にトリガー基盤ＰＰＤＵ（ｐｈｙｓｉｃａｌ  ｌａｙｅｒ  ｐｒｏｔｏｃｏｌ  ｄａｔａ  ｕｎｉｔ）を伝送し、
前記トリガー基盤ＰＰＤＵが含むＭＰＤＵ（ＭＡＣ  ｐｒｏｔｏｃｏｌ  ｄａｔａ  ｕｎｉｔ）に対する即刻の応答を受信するのかに基づき、前記即刻の応答の受信に応じて第２パラメータセットタイマーを設定し、
前記第２パラメータセットタイマーが満了すれば前記第２パラメータセットの適用を終了する
請求項２に記載の無線通信端末。
【請求項４】
前記プロセッサは、
前記即刻の応答を受信終了した際に前記第２パラメータセットタイマーを設定する
請求項３に記載の無線通信端末。
【請求項５】
前記プロセッサは、
前記即刻の応答を受信したＭＰＤＵのアクセスカテゴリに対して前記第２パラメータセットタイマーを設定する
請求項３に記載の無線通信端末。
【請求項６】
前記プロセッサは、
前記トリガー基盤ＰＰＤＵが含むＭＰＤＵが要請する応答の形態に基づき、前記第２パラメータセットタイマーを設定する時期を決定する
請求項３に記載の無線通信端末。
【請求項７】
前記プロセッサは、
前記トリガー基盤ＰＰＤＵが含むＭＰＤＵがＡＣＫを要請しなければ、前記プロセッサは前記トリガー基盤ＰＰＤＵの伝送を終了した際に前記第２パラメータセットタイマーを設定する
請求項６に記載の無線通信端末。
【請求項８】
前記トリガー基盤ＰＰＤＵが含むＭＰＤＵは、ＱｏＳデータフレームである
請求項３に記載の無線通信端末。
【請求項９】
前記プロセッサは、
前記ベース無線通信端末からビーコンフレームを受信し、
前記第２パラメータセットタイマーの周期を示す情報を前記ビーコンフレームから獲得する
請求項３に記載の無線通信端末。
【請求項１０】
前記プロセッサは、
前記パラメータセットを第１パラメータセットから第２パラメータセットに転換する際、前記第２パラメータセットタイマーを設定する
請求項３に記載の無線通信端末。
【請求項１１】
前記プロセッサは、
競争ウィンドウ（Ｃｏｎｔｅｎｔｉｏｎ  Ｗｉｎｄｏｗ、ＣＷ）のうちから無作為の整数値を算出し、
前記無作為の整数値に基づいてバックオフタイマーを設定し、
前記バックオフタイマーと予め指定されたスロットタイムに基づいてチャネルにアクセスし、
前記パラメータセットは、
前記ＣＷの最小値（ＣＷｍｉｎ）と前記ＣＷの最大値（ＣＷｍａｘ）を含む
請求項２に記載の無線通信端末。
【請求項１２】
前記プロセッサは、
競争ウィンドウ（ＣＷ）のうちから無作為の整数値を算出し、
前記無作為の整数値に基づいてバックオフタイマーを設定し、
前記バックオフタイマーと予め指定されたスロットタイムに基づいてチャネルにアクセスし、
前記ＣＷの値がトラフィックの優先度による前記ＣＷの最大値（ＣＷｍａｘ）より大きければ、前記ＣＷの値を前記ＣＷｍａｘに設定する
請求項１に記載の無線通信端末。
【請求項１３】
前記プロセッサは、
キューに貯蔵されるデータのアクセスカテゴリに応じて区分される複数のキューを運営し、前記複数のキューそれぞれにおいてバックオフタイマーに当たる時間に基づいてチャネルにアクセスするバックオフ手順を行い、
前記キューに貯蔵されたデータがなく、前記キューに当たるバックタイマー０であれば、前記バックオフタイマーのスロットの境界でいかなる動作も行わず、
前記バックオフタイマーは、競争ウィンドウ（ＣＷ）のうちから算出された無作為の整数値に基づいて設定され、前記予め指定されたスロットタイムの間に前記チャネルが遊休であれば減少される
請求項１に記載の無線通信端末。
【請求項１４】
前記プロセッサは、
前記キューに貯蔵されたデータがなく、前記キューに当たるバックオフタイマーが０であれば、前記バックオフタイマーを０に維持する
請求項１３に記載の無線通信端末。
【請求項１５】
ベース無線通信端末と無線で通信する無線通信端末の動作方法において、
前記ベース無線通信端末に伝送するデータの優先度に応じてチャネルにアクセスするステップと、
前記チャネルを介して前記データを伝送するステップと、
を含む
動作方法。
【請求項１６】
前記チャネルにアクセスするステップは、
前記ベース無線通信端末が前記無線通信端末のマルチユーザ上り伝送の参加をトリガーするのかに基づき、チャネルアクセスのために使用されるパラメータの集合であるパラメータセットを第１パラメータセットから第２パラメータセットに転換するステップと、
前記無線通信端末が前記ベース無線通信端末に伝送するトラフィックの優先度に応じて第２パラメータセットを使用してチャネルにアクセスするステップと、
を含む、
請求項１５に記載の動作方法。
【請求項１７】
前記動作方法は、
送受信部を使用して前記ベース無線通信端末にトリガー基盤ＰＰＤＵを伝送するステップを更に含み、
前記第１パラメータセットから前記第２パラメータセットに転換するステップは、
前記トリガー基盤ＰＰＤＵが含むＭＰＤＵに対する即刻の応答を受信するのかに基づき、前記即刻の応答の受信に応じて第２パラメータセットタイマーを設定するステップと、
前記第２パラメータセットタイマーが満了すれば、前記第２パラメータセットの適用を終了するステップと、
を含む、
請求項１６に記載の動作方法。
【請求項１８】
前記第２パラメータセットを設定するステップは、
前記即刻の応答の受信が終了されば前記第２パラメータセットタイマーを設定するステップを含む
請求項１７に記載の動作方法。
【請求項１９】
前記第２パラメータセットタイマーを設定するステップは、
前記即刻の応答を受信したＭＰＤＵのアクセスカテゴリに対して前記第２パラメータセットタイマーを設定するステップを含む
請求項１７に記載の動作方法。
【請求項２０】
前記第２パラメータセットを設定するステップは、
前記トリガー基盤ＰＰＤＵが含むＭＰＤＵが要請する応答の形態に基づき、前記第２パラメータセットタイマーの設定時期を決定する
請求項１７に記載の動作方法。
【発明の詳細な説明】
【技術分野】
【０００１】
本発明は、向上された分散チャネルアクセスを使用する無線通信方法及び無線通信端末に関する。
【背景技術】
【０００２】
最近、モバイル機器の普及が拡大されるにつれ、これらに速い無線インターネットサービスを提供する無線ＬＡＮ（Ｗｉｒｅｌｅｓｓ  ＬＡＮ）技術が脚光を浴びている。無線ＬＡＮ技術は、近距離で無線通信技術に基づいてスマートフォン、スマートパッド、ラップトップコンピュータ、携帯型マルチメディアプレーヤー、組み込み（ｅｍｂｅｄｅｄ）機器などのようなモバイル機器を家庭や企業、または特定サービス提供地域で無線でインターネットに接続するようにする技術である。
【０００３】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１は、２．４ＧＨｚの周波数を利用した初期の無線ＬＡＮ技術を支援した以来、多様な技術の標準を実用化または開発中である。まず、ＩＥＥＥ  ８０２．１１ｂは、２．４ＧＨｚバンドの周波数を使用しながら最高１１Ｍｂｐｓの通信速度を支援する。ＩＥＥＥ  ８０２．１１ｂの後に商用化されたＩＥＥＥ８０２．１１ａは、２．４ＧＨｚバンドではなく５ＧＨｚバンドの周波数を使用することで、相当混雑な２．４ＧＨｚバンドの周波数に比べ干渉に対する影響を減らしており、ＯＦＤＭ技術を使用して通信速度を最大５４Ｍｂｐｓまで向上させた。しかし、ＩＥＥＥ  ８０２．１１ａはＩＥＥＥ  ８０２．１１ｂに比べ通信距離が短い短所がある。そして、ＩＥＥＥ  ８０２．１１ｇはＩＥＥＥ  ８０２．１１ｂと同じく２．４ＧＨｚバンドの周波数を利用して最大５４Ｍｐｂｓの通信速度を具現し、下位互換性（ｂａｃｋｗａｒｄ  ｃｏｍｐａｔｉｂｉｌｉｔｙ）を満足しているため相当な注目を浴びたが、通信距離においてもＩＥＥＥ  ８０２．１１ａより優位にある。
【０００４】
そして、無線ＬＡＮで脆弱点として指摘されてきた通信速度に対する限界を克服するために制定された技術規格として、ＩＥＥＥ  ８０２．１１ｎがある。ＩＥＥＥ  ８０２．１１ｎはネットワークの速度と信頼性を増加し、無線ネットワークの運営距離を拡張するのにその目的がある。より詳しくは、ＩＥＥＥ  ８０２．１１ｎではデータの処理速度が最大５４０Ｍｐｂｓ以上の高処理率（Ｈｉｇｈ  Ｔｈｒｏｕｇｈｐｕｔ、ＨＴ）を支援し、また、伝送エラーを最小化しデータ速度を最適化するために送信部と受信部の両端共に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤している。また、この規格はデータの信頼性を上げるために重複する写本を多数個伝送するコーディング方式を使用する。
【０００５】
無線ＬＡＮの普及が活性化され、またこれを利用したアプリケーションが多様化されるにつれ、ＩＥＥＥ  ８０２．１１ｎを支援するデータ処理速度より高い処理率（Ｖｅｒｙ  Ｈｉｇｈ  Ｔｈｒｏｕｇｈｐｕｔ、ＶＨＴ）を支援するための新たな無線ＬＡＮシステムに対する必要請が台頭された。このうち、ＩＥＥＥ  ８０２．１１ａｃは５ＧＨｚ周波数で広い帯域幅（８０ＭＨｚ〜１６０ＭＨｚ）を支援する。ＩＥＥＥ  ８０２．１１ａｃ標準は５ＧＨｚ帯域でのみ定義されていたが、従来の２．４ＧＨｚ帯域の製品との下位互換性のために、初期１１ａｃチップセットは２．４ＧＨｚ帯域での動作も支援する。理論的に、この規格によると、多重ステーションの無線ＬＡＮの速度は最小１Ｇｂｐｓ、最大単一リンクの速度は最小５００Ｍｂｐｓまで可能になる。これは、より広い無線周波数帯域幅（最大１６０ＭＨｚ）、より多いＭＩＭＯの空間的ストリーム（最大８個）、多重ユーザＭＩＭＯ、そして高い密度の変調（最大２５６ＱＡＭ）など、８０１．１１ｎで受け入れた無線インタフェース概念を拡張して行われる。また、従来の２．４ＧＨｚ／５ＧＨｚの代わりに６０ＧＨｚバンドを使用してデータを伝送する方式として、ＩＥＥＥ  ８０２．１１ａｄがある。ＩＥＥＥ  ８０２．１１ａｄはビームフォーミング技術を利用して最大７Ｇｂｐｓの速度を提供する伝送規格であって、大容量のデータや無圧縮ＨＤビデオなど高いビットレート動画のストリーミングに適合している。しかし、６０ＧＨｚの周波数バンドは障害物の通過が難しく、近距離空間におけるデバイス間でのみ使用可能な短所がある。
【０００６】
一方、最近では８０１．１１ａｃ及び８０２．１１ａｄ以降の次世代無線ＬＡＮの標準として、高密度環境での高効率及び高性能無線ＬＡＮの通信技術を提供するための論議が行われつつある。つまり、次世代無線ＬＡＮ環境では高密度のステーションとＡＰ（Ａｃｃｅｓｓ  Ｐｏｉｎｔ）の存在下で室内外で高い周波数効率の通信が提供されるべきであり、これを具現するために多様な技術が必要である。
【０００７】
特に、無線ＬＡＮを利用する装置の数が増えるにつれ、決められているチャネルを効率的に使用する必要がある。よって、複数のステーションとＡＰ間のデータ伝送を同時に行うようにして、帯域幅を効率的に使用する技術が求められている。
【発明の概要】
【発明が解決しようとする課題】
【０００８】
本発明の一実施例は、向上された分散チャネルアクセスを使用する無線通信端末を提供することを目的とする。
【課題を解決するための手段】
【０００９】
本発明の一実施例によってベース無線通信端末と無線で通信する無線通信端末は、送受信部と、前記送受信部を介して受信された無線信号または前記送受信部を介して送信される無線信号をプロセスするプロセッサと、を含む。前記プロセッサは、前記無線通信端末が前記ベース通信端末に伝送するデータの優先度に応じてチャネルにアクセスする。
【００１０】
前記ベース無線通信端末が前記無線通信端末のマルチユーザ上り伝送の参加をトリガーするのかに基づき、前記プロセッサは、前記チャネルアクセスのために使用されるパラメータの集合であるパラメータセットを第１パラメータセットから第２パラメータセットに転換する。詳しくは、前記プロセッサは、前記送受信部を使用して前記ベース無線通信端末からトリガーフレームを受信し、前記トリガーフレームが前記無線通信端末の上り伝送を指示するのかに基づいて、前記パラメータセットを前記第１パラメータセットから前記第２パラメータセットに転換する。
【００１１】
前記プロセッサは、前記送受信部を使用して前記ベース無線通信端末にトリガー基盤ＰＰＤＵ（ｐｈｙｓｉｃａｌ  ｌａｙｅｒ  ｐｒｏｔｏｃｏｌ  ｄａｔａ  ｕｎｉｔ）を伝送する。この際、前記プロセッサは、前記トリガー基盤ＰＰＤＵが含むＭＰＤＵ（ＭＡＣ  ｐｒｏｔｏｃｏｌ  ｄａｔａ  ｕｎｉｔ）に対する即刻の応答を受信するのかに基づいて前記即刻の応答の受信に応じて第２パラメータセットタイマーを設定し、前記第２パラメータセットタイマーが満了すれば前記第２パラメータセットの適用を終了する。また、前記プロセッサは、前記トリガー基盤ＰＰＤＵが含むＭＰＤＵに対する即刻の応答を受信するのかに基づき、前記パラメータセットを前記第１パラメータセットから前記第２パラメータセットに転換する。前記ＭＰＤＵがＱｏＳデータを含めば、前記プロセッサはアクセスカテゴリに対して第２パラメータセットタイマーを設定する。また、前記プロセッサは、前記ＭＰＤＵのアクセスカテゴリに対して第２パラメータセットタイマーを設定する。
【００１２】
前記プロセッサは、前記即刻の応答を受信終了した際に前記第２パラメータセットタイマーを設定する。
【００１３】
前記プロセッサは、前記即刻の応答を受信したＭＰＤＵのアクセスカテゴリに対して前記第２パラメータセットタイマーを設定する。
【００１４】
前記プロセッサは、前記トリガー基盤ＰＰＤＵが含むＭＰＤＵが要請する応答の形態に基づき、前記第２パラメータセットタイマーを設定する時期を決定する。
【００１５】
前記トリガー基盤ＰＰＤＵが含むＭＰＤＵがＡＣＫを要請しなければ、前記プロセッサは前記トリガー基盤ＰＰＤＵの伝送を終了した際に前記第２パラメータセットタイマーを設定する。
【００１６】
前記トリガー基盤ＰＰＤＵが含むＭＰＤＵは、ＱｏＳデータフレームである。
【００１７】
前記プロセッサは、前記ベース無線通信端末からビーコンフレームを受信し、前記第２パラメータセットタイマーの周期を示す情報を前記ビーコンフレームから獲得する。
【００１８】
前記プロセッサは、前記パラメータセットを第１パラメータセットから第２パラメータセットに転換する際、前記第２パラメータセットタイマーを設定する。詳しくは、前記トリガー基盤ＰＰＤＵが含むＭＰＤＵがＡＣＫを要請しなければ、前記プロセッサは、前記トリガー基盤ＰＰＤＵの伝送を終了した際に前記パラメータセットを前記第１パラメータから前記第２パラメータセットに転換し、前記第２パラメータセットタイマーを設定する。
【００１９】
前記プロセッサは、競争ウィンドウ（Ｃｏｎｔｅｎｔｉｏｎ  Ｗｉｎｄｏｗ、ＣＷ）のうちから無作為の整数値を算出し、前記無作為の整数値に基づいてバックオフタイマーを設定し、前記バックオフタイマーと予め指定されたスロットタイムに基づいてチャネルにアクセスする。この際、前記パラメータセットは、前記ＣＷの最小値（ＣＷｍｉｎ）と前記ＣＷの最大値（ＣＷｍａｘ）を含む。
【００２０】
また、前記プロセッサは、前記ＣＷの値が前記トラフィックの優先度による前記ＣＷの最大値（ＣＷｍａｘ）より大きければ、前記ＣＷの値を前記ＣＷｍａｘに設定する。
【００２１】
前記プロセッサは、キューに貯蔵されるデータのアクセスカテゴリに応じて区分される複数のキューを運営し、前記複数のキューそれぞれにおいてバックオフタイマーに当たる時間に基づいてチャネルにアクセスするバックオフ手順を行う。前記キューに貯蔵されたデータがなく、前記キューに当たるバックタイマー０であれば、前記プロセッサは前記バックオフタイマーのスロットの境界でいかなる動作も行わなくてもよい。また、前記バックオフタイマーは、競争ウィンドウ（ＣＷ）のうちから算出された無作為の整数値と予め設定されたスロットタイムに基づいて設定され、前記予め指定されたスロットタイムの間に前記チャネルが遊休であれば減少される。
【００２２】
前記キューに貯蔵されたデータがなく、前記キューに当たるバックオフタイマーが０であれば、前記プロセッサは前記バックオフタイマーを０に維持する。
【００２３】
本発明の実施例によるベース無線通信端末と無線で通信する無線通信端末の動作方法は、前記ベース無線通信端末に伝送するデータの優先度に応じてチャネルにアクセスするステップと、前記チャネルを介して前記データを伝送するステップと、を含む。
【００２４】
前記チャネルにアクセスするステップは、前記ベース無線通信端末が前記無線通信端末のマルチユーザ上り伝送の参加をトリガーするのかに基づき、チャネルアクセスのために使用されるパラメータの集合であるパラメータセットを第１パラメータセットから第２パラメータセットに転換するステップと、前記無線通信端末が前記ベース通信端末に伝送するトラフィックの優先度に応じて第２パラメータセットを使用してチャネルにアクセスするステップと、を含む。詳しくは、前記チャネルにアクセスするステップは、前記ベース無線通信端末からトリガーフレームを受信するステップと、前記トリガーフレームが前記無線通信端末の上り伝送を指示するのか否かに基づいて前記パラメータセットを前記第１パラメータセットから前記第２パラメータセットに転換するステップと、を含む。
【００２５】
前記動作方法は、前記送受信部を使用して前記ベース無線通信端末にトリガー基盤ＰＰＤＵを伝送するステップを更に含む。この際、前記第１パラメータセットから前記第２パラメータセットに転換するステップは、前記トリガー基盤ＰＰＤＵが含むＭＰＤＵに対する即刻の応答を受信するのかに基づき、前記即刻の応答の受信に応じて第２パラメータセットタイマーを設定するステップと、前記第２パラメータセットタイマーが満了すれば、前記第２パラメータセットの適用を終了するステップと、を含む。また、前記チャネルにアクセスするステップは、前記トリガー基盤ＰＰＤＵが含むＭＰＤＵに対する即刻の応答を受信するのかに基づき、前記パラメータセットを前記第１パラメータセットから前記第２パラメータセットに転換するステップを更に含む。
【００２６】
前記第２パラメータセットを設定するステップは、前記即刻の応答の受信が終了されば前記第２パラメータセットタイマーを設定するステップを更に含む。
【００２７】
前記第２パラメータセットタイマーを設定するステップは、前記即刻の応答を受信したＭＰＤＵのアクセスカテゴリに対して前記第２パラメータセットタイマーを設定するステップを含む。
【００２８】
前記第２パラメータセットタイマーを設定するステップは、前記トリガー基盤ＰＰＤＵが含むＭＰＤＵが要請する応答の形態に基づき、前記第２パラメータセットタイマーの設定時期を決定する。
【００２９】
前記第２パラメータセットタイマーを設定するステップは、前記トリガー基盤ＰＰＤＵが含むＭＰＤＵがＡＣＫを要請しなければ、前記トリガー基盤ＰＰＤＵの伝送を完了した際に前記第２パラメータセットタイマーを設定するステップを含む。
【発明の効果】
【００３０】
本発明の一実施例は、向上された分散チャネルアクセスを使用する無線通信方法及びそれを利用する無線通信端末を提供する。
【図面の簡単な説明】
【００３１】
【図１】本発明の一実施例による無線ＬＡＮシステムを示す図である。
【図２】本発明の他の実施例による無線ＬＡＮシステムを示す図である。
【図３】本発明の一実施例によるステーションの構成を示すブロック図である。
【図４】本発明の一実施例によるアクセスポイントの構成を示すブロック図である。
【図５】本発明の一実施例によるステーションがアクセスポイントとリンクを設定する過程を概略的に示す図である。
【図６】本発明の実施例による無線通信端末がＵＬ  ＭＵ伝送に応じてＥＤＣＡパラメータを調整することを示す図である。
【図７】本発明の実施例による無線通信端末がＭＵ  ＥＤＣＡパラメータセットを適用する方法を示す図である。
【図８】本発明の実施例による無線通信端末が複数のＴＩＤ  Ａ−ＭＰＤＵを集合する方法を示す図である。
【図９】本発明の実施例による無線通信端末がベース無線通信端末からＭＵ  ＥＤＣＡパラメータセットに関する情報を受信し、ＭＵ  ＥＤＣＡパラメータセットに関する情報を適用する動作を示す図である。
【図１０】本発明の実施例によるベース無線通信端末がＱｏＳ  Ｃｏｎｔｒｏｌフィールドを介してＢＳＲを伝送する動作を説明する図である。
【図１１】本発明の他の実施例による無線通信端末が無線通信端末からＭＵ  ＥＤＣＡパラメータセットに関する情報を受信し、ＭＵ  ＥＤＣＡパラメータセットに関する情報を適用する動作を示す図である。
【図１２】本発明のまた他の実施例による無線通信端末がトリガーフレームからＭＵ  ＥＤＣＡパラメータセットに関する情報を獲得し、ＭＵ  ＥＤＣＡパラメータセットに関する情報を適用する動作を示す図である。
【図１３】本発明の更に他の実施例による無線通信端末がターゲットウェイクタイムエレメントからＭＵ  ＥＤＣＡパラメータセットに関する情報を獲得し、ＭＵ  ＥＤＣＡパラメータセットに関する情報を適用する動作を示す図である。
【図１４】本発明の実施例による無線通信端末がＭＵ  ＥＤＣＡパラメータの適用を終了する動作を示す図である。
【図１５】本発明の更に他の実施例による無線通信端末がＭＵ  ＥＣＤＡパラメータの適用を終了する動作を示す図である。
【図１６】本発明の更に他の実施例による無線通信端末がＭＵ  ＥＤＣＡパラメータを適用する動作を示す図である。
【図１７】本発明の実施例による無線通信端末が生成するＡ−ＭＰＤＵと該当Ａ−ＭＰＤＵに対する応答の形態を示す図である。
【図１８】本発明の更に他の実施例による無線通信端末がＭＵ  ＥＤＣＡパラメータを適用する動作を示す図である。
【図１９】本発明の実施例による無線通信端末がＭＵ  ＥＤＣＡパラメータセットを適用する動作を示す図である。
【図２０】本発明の実施例による無線通信端末がＥＤＣＡパラメータセットを変更しながらＣＷ値を変更する動作を示す図である。
【図２１】本発明の実施例による無線通信端末がＥＤＣＡパラメータセットを変更しながらＣＷ値を変更する動作を示す図である。
【図２２】本発明の実施例によるＭＵ  ＥＤＡＣパラメータセットエレメントの具体的な形式を示す図である。
【図２３】本発明の更に他の実施例によるＭＵ  ＥＤＡＣパラメータセットエレメントの具体的な形式を示す図である。
【図２４】本発明の実施例による無線通信端末のＵＬ  ＭＵ伝送後のＥＤＣＡ動作を示す図である。
【図２５】本発明の実施例による無線通信端末のＥＤＣＡキューが空いており、バックオフタイマーが０である際の無線通信端末の動作を示す図である。
【図２６】本発明の更に他の実施例による無線通信端末のＥＤＣＡキューが空いており、バックオフタイマーが０である際の無線通信端末の動作を示す図である。
【図２７】本発明の更に他の実施例による無線通信端末のＥＤＣＡキューが空いており、バックオフタイマーが０である際の無線通信端末の動作を示す図である。
【図２８】本発明の実施例による無線通信端末の動作を示す図である。
【発明を実施するための形態】
【００３２】
以下、添付した図面を参照し本発明の実施例について本発明が属する技術分野における通常の知識を有する者が容易に実施し得るように詳細に説明する。しかし、本発明は様々な異なる形態に具現されることができ、ここで説明する実施例に限らない。そして、図面において、本発明を明確にするために説明とは関係のない部分は省略しており、明細書全体にわたって類似した部分に対しては類似した図面符号をつけている。
【００３３】
また、ある部分がある構成要素を「含む」という際、これは特に反対する記載がない限り、他の構成要素を除くのではなく、他の構成要素を更に含むことを意味する。
【００３４】
本出願は、韓国特許出願第10-2016-0114822号（2016.09.07）、第10-2016-0116877号（2016.09.10）、第10-2016-0116965（2016.09.12）第10-2016-0117898号（2016.09.13）、第10-2016-0122488号（2016.09.23）、第10-2016-0147189号（2016.11.06）及び第10-2017-0022227号（2017.02.20）を基礎とした優先順位を主張し、優先順位の基礎となる上記各出願に記述され、実施例と記載事項は、本出願の詳細な説明に含まれているものとする。
【００３５】
図１は、本発明の一実施例による無線ＬＡＮシステムを示す図である。無線ＬＡＮシステムは一つまたはそれ以上のベーシックサービスセット（Ｂａｓｉｃ  Ｓｅｒｖｉｃｅ  Ｓｅｔ、ＢＳＳ）を含むが、ＢＳＳとは無事に同期化を果たして互いに通信し得る機器の集合を示す。一般に、ＢＳＳはインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分されるが、図１はこのうちインフラストラクチャＢＳＳを示している。
【００３６】
図１に示したように、インフラストラクチャＢＳＳ  ＢＳＳ１、ＢＳＳ２は、一つまたはそれ以上のステーションＳＴＡ１、ＳＴＡ２、ＳＴＡ３、ＳＴＡ４、ＳＴＡ５、分配サービス（Ｄｉｓｔｒｉｂｕｔｉｏｎ  Ｓｅｒｖｉｃｅ）を提供するステーションであるアクセスポイントＰＣＰ／ＡＰ−１、ＰＣＰ／ＡＰ−２、及び多数のアクセスポイントＰＣＰ／ＡＰ−１、ＰＣＰ／ＡＰ−２を連結する分配システム（Ｄｉｓｔｒｉｂｕｔｉｏｎ  Ｓｙｓｔｅｍ，  ＳＤ）を含む。
【００３７】
ステーション（ｓｔａｔｉｏｎ、ＳＴＡ）はＩＥＥＥ  ８０２．１１標準の基底に従う媒体接続制御（Ｍｅｄｉｕｍ  Ａｃｃｅｓｓ  Ｃｏｎｔｒｏｌ、  ＭＡＣ）と無線媒体に対する物理層（Ｐｈｙｓｉｃａｌ  Ｌａｙｅｒ）インタフェースを含む任意のデバイスであって、広い意味では非アクセスポイント（ｎｏｎ−ＡＰ）だけでなくアクセスポイント（ＡＰ）も含む。また、本明細書において、「端末」はｎｏｎ−ＡＰ  ＳＴＡまたはＡＰを指すか、両者を全て指す用語として使用される。無線通信のためのステーションはプロセッサ（Ｐｒｏｃｅｓｓｏｒ）と送受信部（ｔｒａｎｓｍｉｔ／ｒｅｃｅｉｖｅ  ｕｎｉｔ）を含み、実施例によってユーザインタフェース部とディスプレーユニットなどを更に含む。プロセッサは無線ネットワークによって伝送するフレームを生成するか、または前記無線ネットワークによって受信されたフレームを処理し、その他にもステーションを制御するための多様な処理をする。そして、送受信部は前記プロセッサと機能的に連結されており、ステーションのために無線ネットワークを介してフレームを送受信する。
【００３８】
アクセスポイント（Ａｃｃｅｓｓ  Ｐｏｉｎｔ、ＡＰ）は自らに結合されたステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定された場合には非ＡＰステーション間での直接通信が可能になる。一方、本発明において、ＡＰはＰＣＰ（Ｐｅｒｓｏｎａｌ  ＢＳＳ  Ｃｏｏｒｄｉｎａｔｉｏｎ  Ｐｏｉｎｔ）を含むがねとして使用され、広い意味では集中制御器、基地局（Ｂａｓｅ  Ｓｔａｔｉｏｎ、ＧＳ）、ノードＢ、ＢＴＳ（Ｂａｓｅ  Ｔｒａｎｓｃｅｉｖｅｒ  Ｓｙｓｔｅｍ）、またはサイト制御器などの概念を全て含む。
【００３９】
複数のインフラストラクチャＢＳＳは分配システムを介して相互連結される。この際、分配システムを介して連結された複数のＢＳＳを拡張サービスセット（Ｅｘｔｅｎｄｅｄ  Ｓｅｒｖｉｃｅ  Ｓｅｔ、ＥＳＳ）とする。
【００４０】
図２は、本発明の他の実施例による無線ＬＡＮシステムである独立ＢＳＳを示す図である。図２の実施例において、図１の実施例と同じであるか相応する部分は重複する説明は省略する。
【００４１】
図２に示したＢＳＳ３は独立ＢＳＳであってＡＰを含まないため、全てのステーションＳＴＡ６、ＳＴＡ７がＡＰと接続されない状態である。独立ＢＳＳは分配システムとして接続が許容されず、自己完備的ネットワーク（ｓｅｌｆ−ｃｏｎｔａｉｎｅｄ  ｎｅｔｗｏｒｋ）を成す。独立ＢＳＳにおいて、それぞれのステーションＳＴＡ６、ＳＴＡ７はダイレクトで互いに連結される。
【００４２】
図３は、本発明の一実施例によるステーション１００の構成を示すブロック図である。
【００４３】
図示したように、本発明の実施例によるステーション１００は、プロセッサ１１０、送受信部１２０、ユーザインタフェース１４０、ディスプレーユニット１５０、及びメモリ１６０を含む。
【００４４】
まず、送受信部１２０は無線ＬＡＮパケットなどの無線信号を送受信し、ステーション１００に内装されているか外装として備われる。実施例によると、送受信部１２０は互いに異なる周波数バンドを利用する少なくとも一つの送受信モジュールを含む。例えば、前記送受信部１２０は２．４ＧＨｚ、５ＧＨｚ及び５０ＧＨｚなどの互いに異なる周波数バンドの送受信モジュールを含む。一実施例によると、ステーション１００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格によってＡＰまたは外部ステーションと無線通信を行う。送受信部１２０はステーション１００の性能及び要求事項によって一度に一つの送受信モジュールのみを動作させるか、同時に多数の送受信モジュールを共に動作させる。ステーション１００が複数の送受信モジュールを備える場合、各相受信モジュールはそれぞれ独立した形態に備えられてもよく、複数のモジュールが一つのチップに統合されて備えられてもよい。
【００４５】
次に、ユーザインタフェース部１４０はステーション１００に備えられて多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は多様な出力手段を利用してプロセッサ１１０の命令に基づいて出力を行う。
【００４６】
次に、ディスプレーユニット１５０はディスプレー画面にイメージを出力する。前記ディスプレーユニット１５０はプロセッサ１１０によって行われるコンテンツまたはプロセッサ１１０の制御命令に基づいたユーザインタフェースなどの多様なディスプレーオブジェクトを出力する。また、メモリ１４０はステーション１１０で使用される制御プログラム及びそれによる各種データを貯蔵する。このような制御プログラムにはステーション１００がＡＰまたは外部ステーションと接続を行うが、必要な接続プログラムが含まれる。
【００４７】
本発明のプロセッサ１１０は多様な命令またはプログラムを行い、ステーション１００内部のデータをプロセスする。また、前記プロセッサ１１０は上述したステーション１００の各ユニットを制御し、ユニット間のデータ送受信を制御する。本発明の実施例によると、プロセッサ１１０は、メモリ１６０に貯蔵されたＡＰとの接続のためのプログラムを実行し、ＡＰが伝送した通信設定メッセージを受信する。また、プロセッサ１１０は通信設定メッセージに含まれたステーション１００の優先条件に関する情報を判読し、ステーション１００の優先条件に関する情報に基づいてＡＰに対する接続を要請する。本発明のプロセッサ１１０はステーション１００のメインコントロールユニットを指してもよく、実施例によってはステーション１００の一部構成、例えば、送受信部１２０などを個別的に制御するためのコントロールユニットを指してもよい。つまり、プロセッサ１１０は送受信部１２０から送受信される無線信号をモジュレーションするモジュレーション部またはデモジュレーション部（ＭＰＤＵｌａｔｏｒ  ａｎｄ／ｏｒ  ｄｅＭＰＤＵｌａｔｏｒ）である。プロセッサ１１０は本発明の実施例によるステーション１００の無線信号送受信の各種動作を制御する。これに対する具体的な実施例は後述する。
【００４８】
図３に示したステーション１００は本発明の一実施例によるブロック図であって、分離して示したブロックはデバイスのエレメントを論理的に区別して示したものである。よって、上述したデバイスのエレメントは、デバイスの設計によって一つのチップまたは複数のチップで装着される。例えば、前記プロセッサ１１０及び送受信部１２０は一つのチップに統合されて具現されてもよく、別途のチップで具現されてもよい。また、本発明の実施例において、前記ステーション１００の一部構成、例えばユーザインタフェース部１４０及びディスプレーユニット１５０などはステーション１００に選択的に備えられる。
【００４９】
図４は、本発明の一実施例によるＡＰ２００の構成を示すブロック図である。
【００５０】
図示したように、本発明の一実施例によるＡＰ２００はプロセッサ２１０、送受信部２２０及びメモリ２６０を含む。図４において、ＡＰ２００の構成のうち図３のステーション１００の構成と同じであるか相応する部分に対しては重複した説明は省略する。
【００５１】
図４を参照すると、本発明によるＡＰ２００は少なくとも一つの周波数バンドでＢＳＳを運営するための送受信部２２０を備える。図３の実施例で説明したように、前記ＡＰ２００の送受信部２２０も互いに異なる周波数バンドを利用する複数の送受信モジュールを含む。つまり、本発明の実施例によるＡＰ２００は互いに異なる周波数バンド、例えば２．４ＧＨｚ、５ＧＨｚ、６０ＧＨｚのうち２つ以上の送受信モジュールを共に備える。好ましくは、ＡＰ２００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格に従ってステーションと無線通信を行う。前記送受信部２２０はＡＰ２００の性能及び要求事項に応じて一度に一つの送受信モジュールのみを動作させるか、同時に多数の送受信モジュールを共に動作させてもよい。
【００５２】
次に、メモリ２６０はＡＰ２００で使用される制御プログラム及びそれによる各種データを貯蔵する。このような制御プログラムにはステーションの接続を管理する管理プログラムが含まれる。また、プロセッサ２１０はＡＰ２００の各ユニットを制御し、ユニット間のデータ送受信を制御する。本発明の実施例によると、プロセッサ２１０はメモリ２６０に貯蔵されたステーションとの接続のためのプログラムを実行し、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は送受信部２２０から送受信される無線信号をモジュレーションするモジュレーション部またはデモジュレーション部である。プロセッサ２１０は本発明の実施例によるＡＰ２００の無線信号送受信の各種動作を制御する。これに対する具体的な実施例は後述する。
【００５３】
図５は、ＳＴＡがＡＰとリンクを設定する過程を概略的に示している。
【００５４】
図５を参照すると、ＳＴＡ１００とＡＰ２００間のリンクは大きくスキャニング（ｓｃａｎｎｉｎｇ)、認証（ａｕｔｈｅｎｔｉｃａｔｉｏｎ)、及び結合（ａｓｓｏｃｉａｔｉｏｎ)の３つのステップを介して設定される。まず、スキャニングステップは、ＡＰ２００が運営するＢＳＳのアクセス情報をＳＴＡ１００が獲得するステップである。スキャニングを行うための方法としては、ＡＰ２００が周期的に伝送するビーコン（ｂｅａｃｏｎ)メッセージＳ１０１のみを活用して情報を獲得するパッシブスキャニング（ｐａｓｓｉｖｅ  ｓｃａｎｎｉｎｇ)方法と、ＳＴＡ１０がＡＰにプローブ要請（ｐｒｏｂｅ  ｒｅｑｕｅｓｔ)を伝送しＳ１０３、ＡＰからプローブ応答（ｐｒｏｂｅ  ｒｅｓｐｏｎｓｅ)を受信してＳ１０５、アクセス情報を獲得するアクティブスキャニング（ａｃｔｉｖｅ  ａｃａｎｎｉｎｇ)方法がある。
【００５５】
スキャニングステップにおいて無線アクセス情報の受信に成功したＳＴＡ１００は、認証要請（ａｕｔｈｅｎｔｉｃａｔｉｏｎ  ｒｅｑｕｅｓｔ)を伝送しＳ１０７ａ、ＡＰ２００から認証応答（ａｕｔｈｅｎｔｉｃａｔｉｏｎ  ｒｅｓｐｏｎｓｅ)を受信してＳ１０７ｂ、認証ステップを行う。認証ステップが行われた後、ＳＴＡ１００は結合要請（ａｓｓｏｃｉａｔｉｏｎ  ｒｅｑｕｅｓｔ)を伝送しＳ１０９ａ、ＡＰ２００から結合応答（ａｓｓｏｃｉｔａｔｉｏｎ  ｒｅｓｐｏｎｓｅ)を受信してＳ１０９ｂ、結合ステップを行う。本明細書において、結合とは基本的に無線結合を意味するが、本発明はこれに限らず、広い意味での結合は無線結合及び有線結合を全て含む。
【００５６】
一方、追加的に８０２．１Ｘ基盤の認証ステップＳ１１１、及びＤＨＣＰを介したＩＰアドレス獲得ステップＳ１１３が行われる。図５において、認証サーバ３００はＳＴＡ１００と８０２．１Ｘ基盤の認証を処理するサーバであって、ＡＰ２００に物理的に結合されて存在するか、別途のサーバとして存在してもよい。
【００５７】
具体的な実施例ではAP（200）は、ad-hocネットワークのように、外部の分配サービス（Distribution Service）に接続されていない独立したネットワークでの通信媒体リソースを割り当ててスケジューリングを実行する無線通信端末であることができる。また、AP（200）は、ベースステーション（base station）、eNB、およびトランスミッションポイント（TP）のうちの少なくともいずれかであることができる。また、AP（200）は、ベースの無線通信端末と呼ばれることができる。
【００５８】
また、ベースの無線通信端末は、複数の無線通信端末との通信で通信媒体（medium）リソースを割り当ててスケジューリング（scheduling）する無線通信端末であることができる。具体的には、ベースの無線通信端末は、セルコーディネーター（cell coordinator）の役割を実行することができる。具体的な実施例では、ベースの無線通信端末は、ad-hocネットワークのように、外部の分配サービス（Distribution Service）に接続されていない独立したネットワークでの通信媒体リソースを割り当ててスケジューリングを実行する無線通信端末であることができる。
【００５９】
非免許帯域のように様々な無線通信装置が共同に使用する周波数帯域において、無線通信装置は競争手順を介してチャネルにアクセスする。詳しくは、予め指定された時間の間に無線通信装置がアクセスしようとするチャネルが遊休であれば、無線通信装置はバックオフ手順を始める。バックオフ手順において、無線通信装置は競争ウィンドウ（ＣＷ)のうちから無作為の整数値を獲得し、無作為の整数値をバックオフタイマーとして設定する。予め指定されたスロットタイム（ｓｌｏｔ  ｔｉｍｅ）の間に該当チャネルが遊休（ｉｄｌｅ）であれば、無線通信装置はバックオフタイマーを減少させる。バックオフタイマーの値が０であれば、無線通信端末は該当チャネルにアクセスする。この際、該当チャネルが使用中（ｂｕｓｙ）であれば、無線通信端末はバックオフ手順を中断する。予め指定された時間の間に無線通信端末がアクセスしようとするチャネルが遊休であれば、無線通信端末は更にバックオフ手順を再開（ｒｅｓｕｍｅ）する。
【００６０】
また、無線通信端末は伝送するデータの優先順位に応じてチャネルにアクセスする。詳しくは、無線通信端末は伝送するデータの優先順位に応じて決定されるＣＷを使用する。この際、ＣＷの最小値（ＣＷｍｉｎ）と最大値（ＣＷｍａｘ）は、無線通信端末が伝送するデータの優先順位に応じて決定される。また、無線通信端末がバックオフ手順を始めるために待機する予め指定された時間は、無線通信端末が伝送するデータの優先順位に応じて決定される。また、無線通信端末は伝送するデータの優先順位に応じて指定された時間だけ待機した後、バックオフ手順を始める。優先順位に応じて指定された時間は、ＡＩＦＳ（ａｒｂｉｔｒａｔｉｏｎ  ｉｎｔｅｒｆｒａｍｅ  ｓｐａｃｅ）と称する。このような動作を向上された分散チャネルアクセス（ｅｎｈａｎｃｅｄ  ｄｉｓｔｒｉｂｕｔｅｄ  ｃｈａｎｎｅｌ  ａｃｃｅｓｓ、ＥＣＤＡ）と称する。また、データの優先順位は、アクセスカテゴリ（Ａｃｃｅｓｓ  Ｃａｔｅｇｏｒｙ、ＡＣ）に応じて決定される。
【００６１】
ベース無線通信端末は、一つ以上の（ｏｎｅ  ｏｒ  ｍｏｒｅ）無線通信端末のベース無線通信端末に対する上り伝送をトリガリングする。この際、一つ以上の無線通信端末は、ＯＦＤＭ（ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ）を利用してベース無線通信端末に対する上り伝送を行う。また、ベース無線通信端末は、トリガーフレームまたはＭＡＣヘッダを介してトリガー情報を一つ以上の無線通信端末に伝送し、一つ以上の無線通信端末のベース無線通信端末に対する上り伝送をトリガリングする。この際、ベース無線通信端末は一つ以上の無線通信端末の上り伝送のためにチャネルにアクセスする。また、一つ以上の無線通信端末も、一つ以上の無線通信端末それぞれの上がり伝送のためにチャネルにアクセスする。よって、一つ以上の無線通信端末の上り伝送がベース無線通信端末によって上り伝送がスケジューリングされれば、一つ以上の無線通信端末の上り伝送は同じ優先順位を有するデータを伝送する他の無線通信端末の伝送に比べ高い優先順位を有するようになる。また、ベース無線通信端末と一つ以上の無線通信端末が同じ伝送のために同時にチャネルにアクセスするようになり、チャネルアクセスの効率が落ちる恐れがある。よって、上りマルチユーザ（Ｕｐｌｉｎｋ  Ｍｕｌｔｉ−Ｕｓｅｒ、ＵＬ  ＭＵ）の伝送がスケジューリングされれば、ＥＤＣＡパラメータ値を調整する必要がある。
【００６２】
図６は、本発明の実施例による無線通信端末がＵＬ  ＭＵ伝送に応じてＥＤＣＡパラメータを調整することを示す図である。
【００６３】
ＵＬ  ＭＵ伝送にスケジューリングされた無線通信端末は、ＵＬ  ＭＵ伝送にスケジューリングされていないときより低い確率でチャネルアクセスの成功を保障するチャネルアクセス方法を使用する。詳しくは、ＵＬ  ＭＵ伝送にスケジューリングされた無線通信端末は、別途のＥＤＣＡパラメータセット（ｓｅｔ）を使用する。具体的な実施例において、ＵＬ  ＭＵ伝送にスケジューリングされた無線通信端末は、同じデータを伝送するためのチャネルアクセスで以前使用していたＥＤＣＡパラメータセットより低い確率でチャネルアクセスを試みるＥＣＤＡパラメータセットを使用する。この際、ＥＤＣＡパラメータセットは無線通信端末が伝送するデータの優先度に応じたＥＤＣＡの動作に使用されるパラメータの集合である。詳しくは、ＥＣＤＡパラメータセットはＣＷに関するパラメータを含む。この際、ＣＷに関するパラメータは、ＣＷｍｉｎとＣＷｍａｘのうち少なくともいずれか一つを含む。また、ＥＤＣＡパラメータセットは、無線通信端末がバックオフ手順を始めるために待機する予め指定された時間に関するパラメータ値を含む。この際、予め指定された時間は、上述したＡＩＦＳである。説明の便宜上、ＵＬ  ＭＵ伝送にスケジューリングされた無線通信端末が使用する別途のＥＤＣＡパラメータセットをＭＵ  ＥＤＣＡパラメータセットと称する。
【００６４】
図７の実施例のように、ＭＵ  ＥＤＣＡパラメータセットが適用された無線通信端末は、該当データを伝送するために待機する一般的なＡＩＦＳ期間より長いＡＩＦＳ期間の間にアクセスしようとするチャネルが遊休であればチャネルにアクセスする。該当チャネルがＭＵ  ＥＤＣＡパラメータセットに当たるＡＩＦＳの間に遊休であれば、無線通信端末は該当チャネルに対するバックオフ手順を始める。
【００６５】
ベース無線通信端末は、ＭＵ  ＥＤＣＡパラメータセットに関する情報をＵＬ  ＭＵ伝送にスケジューリングされた無線通信端末に伝送する。詳しくは、ベース無線通信端末は、ＭＵ  ＥＤＣＡパラメータセットに関する情報を含むＭＵ  ＥＤＣＡパラメータエレメントをＵＬ  ＭＵ伝送にスケジューリングされた無線通信端末に伝送する。この際、ベース無線通信端末はビーコンフレームを使用してＭＵ  ＥＤＣＡパラメータエレメントを伝送する。ＥＤＣＡパラメータセットを転換する具体的な方法について、図７乃至図１１を介して詳しく説明する。
【００６６】
図７は、本発明の実施例による無線通信端末がＭＵ  ＥＤＣＡパラメータセットを適用する方法を示す図である。
【００６７】
無線通信端末は、ＭＵ  ＥＤＣＡパラメータセットの適用可否をＡＣ別に判断する。詳しくは、無線通信端末はＵＬ  ＭＵ伝送可否に基づいてＡＣ別にＭＵ  ＥＤＣＡパラメータセットの適用可否を決定する。具体的な実施例において、無線通信端末は、ＵＬ  ＭＵ伝送にスケジューリングされたＡＣに当たるデータの伝送にＭＵ  ＥＤＣＡパラメータセットを適用する。ＵＬ  ＭＵ伝送対象に該当しないＡＣにまでＭＵ  ＥＤＣＡパラメータセットを適用すれば、チャネルアクセスの平衡性が低下する恐れがあるためである。
【００６８】
図７の実施例において、無線通信端末はＭＵ  ＥＤＣＡパラメータセットを適用する。この際、無線通信端末はＭＵ  ＥＤＣＡパラメータセットが示す一部のＡＣ（ＢＥ、ＢＫ）に対してＭＵ  ＥＤＣＡパラメータセットを適用する。よって、無線通信端末は、ＡＣがＢＥ、ＢＫに当たるトラフィックを伝送するために、ＭＵ  ＥＤＣＡパラメータセットを使用してチャネルにアクセスする。この際、無線通信端末が一定時間内に伝送を始められる確率は、一般的なＥＤＣＡパラメータセットを使用する場合より低い。
【００６９】
無線通信端末がＡＣ別にＭＵ  ＥＤＣＡパラメータセットの適用可否を決定すれば、無線通信端末はＭＵ  ＥＤＣＡパラメータセットが適用されるＡＣを特定ＡＣに誘導して他の端末との平衡性を阻害する恐れがある。例えば、無線通信端末は、現在比較的大きいバックオフタイマー値を有するＡＣデータのみをＵＬ  ＭＵ伝送にスケジューリングされるように誘導する可能性がある。よって、無線通信端末は、現在のチャネルアクセス待機状態に基づいてＭＵ  ＥＤＣＡパラメータセットの適用可否を決定する。詳しくは、無線通信端末がＭＵ  ＥＤＣＡパラメータセットを適用する際、無線通信端末はチャネルアクセス待機時間が最も短いプライマリーＡＣにＭＵ  ＥＤＣＡパラメータセットを義務的に適用すると規定されてもよい。この際、チャネルアクセス待機時間は、残っているバックオフタイマーの値とＡＩＦＳ値に基づいて決定される。詳しくは、チャネルアクセス待機時間は、バックオフタイマーに当たる時間とＡＩＦＳの和であってもよい。チャネルアクセス待機時間が最小の無線通信端末が複数であれば、無線通信端末は複数のＡＣにＭＵ  ＥＤＣＡパラメータセットを義務的に適用するようにＥＤＣＡパラメータセットの適用条件を制限する。
【００７０】
図８は、本発明の実施例による無線通信端末が複数のＴＩＤ  Ａ−ＭＰＤＵを集合する方法を示す図である。
【００７１】
無線通信端末は、複数のＴＩＤそれぞれに当たる複数のＭＰＤＵを集合して（ａｇｇｒｅｇａｔｅ）、Ａ−ＭＰＤＵ（Ａｇｇｒｅｇａｔｅ−ＭＡＣ  Ｐｒｏｔｏｃｏｌ  Ｄａｔａ  Ｕｎｉｔ）を生成する。この際、Ａ−ＭＰＤＵを複数のＴＩＤ  Ａ−ＭＰＤＵ（ｍｕｌｔｉ−ＴＩＤ  Ａ−ＭＰＤＵ）と称する。この際、無線通信端末が意図的にチャネルアクセス待機時間が多く残っているＡＣに当たるＴＩＤのＭＰＤＵを複数のＴＩＤ  Ａ−ＭＰＤＵに挿入すれば、無線通信端末間の伝送平衡性が落ちる恐れがある。よって、無線通信端末は、残っているチャネルアクセス待機時間が最も短いＡＣに当たるＴＩＤのＭＰＤＵを含んで複数のＴＩＤ  Ａ−ＭＰＤＵを伝送するように制限される。この際、複数のＴＩＤ  Ａ−ＭＰＤＵに含まれるチャネルアクセス待機時間が最も短いＡＣに当たるＴＩＤのＭＰＤＵの大きさは、予め指定された大きさ以上である。また、無線通信端末がＵＬ  ＭＵ伝送をすれば、無線通信端末はベース無線通信端末が指示するＴＩＤを含んでＴＩＤ  Ａ−ＭＰＤＵを伝送するように制限される。
【００７２】
図８の無線通信端末において、チャネルアクセス待機時間が最も短いＡＣはＶＯである。無線通信端末は、ＡＣがＶＯに当たるＴＩＤ（ＴＩＤ１）のＭＤＰＵを含んで複数のＴＩＤ  Ａ−ＭＰＤＵを生成する。無線通信端末は、生成した複数のＴＩＤ  Ａ−ＭＰＤＵをベース無線通信端末に伝送する。この際、無線通信端末は、複数のＴＩＤ  Ａ−ＭＰＤＵが含むＭＰＤＵのＱｏＳ  ｃｏｎｔｒｏｌフィールドを介してバッファ状態レポート（Ｂｕｆｆｅｒ  Ｓｔａｔｕｓ  Ｒｅｐｏｒｔ、ＢＳＲ）を伝送する。それについては、図１０を介して詳しく説明する。無線通信端末は、このような実施例を介して他の無線通信端末とのチャネルアクセスの平衡性を守ることができる。
【００７３】
上述したように、ベース無線通信端末は、ＭＵ  ＥＤＣＡパラメータセットに関する情報を無線通信端末に伝送する。それについては、図９乃至図１１を介して説明する。
【００７４】
図９は、本発明の実施例による無線通信端末がベース無線通信端末からＭＵ  ＥＤＣＡパラメータセットに関する情報を受信し、ＭＵ  ＥＤＣＡパラメータセットに関する情報を適用する動作を示す図である。
【００７５】
無線通信端末がＢＳＲを伝送した際、無線通信端末はＭＵ  ＥＤＣＡパラメータセットを適用する。詳しくは、無線通信端末がＢＳＲを伝送した際、無線通信端末はＢＳＲ伝送に関するＡＣにＭＵ  ＥＤＣＡパラメータセットを適用する。ＢＳＲ伝送に関するＡＣは、ＢＳＲを介してバッファ状態が報告されたＡＣである。また、無線通信端末がＢＳＲを伝送した際、無線通信端末は全てのＡＣにＭＵ  ＥＤＣＡパラメータセットを適用する。ベース無線通信端末が、無線通信端末が伝送したＢＳＲに基づいてＵＬ  ＭＵ伝送をスケジューリングすることができるためである。詳しくは、無線通信端末は図９（ａ）の実施例のように、ＢＳＲを伝送完了したときからＭＵ  ＥＤＣＡパラメータセットを適用してチャネルにアクセスする。無線通信端末は、様々な方法を介してＢＳＲをベース無線通信端末に伝送する。それについては図１０を介して説明する。
【００７６】
図１０は、本発明の実施例によるベース無線通信端末がＱｏＳ  Ｃｏｎｔｒｏｌフィールドを介してＢＳＲを伝送する動作を説明する図である。
【００７７】
無線通信端末は、ＭＡＣヘッダのＱｏＳ  ｃｏｎｔｒｏｌフィールドを使用してＢＳＲを伝送する。この際、ＱｏＳ  Ｃｏｎｔｒｏｌフィールドの形式は図１０（ａ）のようである。詳しくは、無線通信端末は、ＱｏＳデータを含むＭＰＤＵを伝送しながらＭＰＤＵのＱｏＳ  ｃｏｎｔｒｏｌフィールドを使用してＢＳＲを伝送する。また、無線通信端末は、データを含まないＱｏＳ  Ｎｕｌｌ  ＭＰＤＵを伝送しながらＭＰＤＵのＱｏＳ  ｃｏｎｔｒｏｌフィールドを使用してＢＳＲを伝送する。また、無線通信端末は、複数のＴＩＤ  Ａ−ＭＰＤＵが含み得るＴＩＤ個数の制限とは関係なく、Ａ−ＭＰＤＵにＱｏＳ  Ｎｕｌｌ  ＭＰＤＵを挿入する。
【００７８】
図１０（ｂ）の実施例のように、上りシングルユーザ（Ｕｐｌｉｎｋ  Ｓｉｎｇｌｅ  Ｕｓｅｒ、ＵＬ  ＳＵ）伝送において、無線通信端末はＱｏＳ  ｃｏｎｔｒｏｌフィールドを使用してＢＳＲを伝送する。また、トリガーフレームによってトリガーされたＵＬ  ＭＵ伝送において、無線通信端末はＱｏＳ  ｃｏｎｔｒｏｌフィールドを使用してＢＳＲを伝送する。また、無線通信端末がベース無線通信端末からＡ−ＭＰＤＵを受信し、無線通信端末はＡ−ＭＰＤＵに対するＢＡフレームを伝送しながらＱｏＳ  ｃｏｎｔｒｏｌフィールドを使用してＢＳＲを伝送する。また、無線通信端末はＢＳＲ伝送をトリガリングするトリガーフレームであるＢＳＲＰを受信し、無線通信端末はＱｏＳ  Ｎｕｌｌ  ＭＰＤＵのＱｏＳ  ｃｏｎｔｒｏｌフィールドを使用してＢＳＲを伝送する。
【００７９】
更に図９戻って説明する。他の具体的な実施例において、無線通信端末はベース無線通信端末からＵＬ  ＭＵスケジューリングに関する情報を受信した際にＭＵ  ＥＤＣＡパラメータセットを適用する。この際、ＵＬ  ＭＵスケジューリングに関する情報は、ＵＬ  ＭＵ伝送がスケジューリングされたことを示す情報である。また、ベース無線通信端末は、ベーコンフレーム及びＡｃｔｉｏｎフレームのうち少なくともいずれか一つを使用して無線通信端末にＵＬ  ＭＵ伝送スケジューリングに関する情報を伝送する。無線通信端末は、ビーコンフレーム及びＡｃｔｉｏｎフレームのうち少なくともいずれか一つからＵＬ  ＭＵ伝送スケジューリングに関する情報を獲得する。この際、ＡｃｔｉｏｎフレームはＡｃｔｉｏｎフレームに対するＡＣＫフレームが要求されないＡｃｔｉｏｎ  ｎｏ  ＡＣＫフレームである。詳しくは、無線通信端末は、ベース無線通信端末からＵＬ  ＭＵスケジューリングに関する情報を受信し、ＵＬ  ＭＵスケジューリングに関する情報が指示するＡＣにＭＵ  ＥＤＣＡパラメータセットを適用する。また、無線通信端末は、ＵＬ  ＭＵスケジューリングに関する情報を受信したときから一定期間内にＢＳＲを伝送した履歴のあるＡＣに対してＭＵ  ＥＤＣＡパラメータセットを適用する。ＵＬ  ＭＵスケジューリングに関する情報は、ＨＥ  ｏｐｅｒａｔｉｏｎ  ｅｌｅｍｅｎｔのｒｅｓｅｒｖｅｄビットに含まれる。また、ビーコンフレームがＭＵ  ＥＤＣＡパラメータセットを含む場合、ＵＬ  ＭＵ伝送がスケジューリングされていることを黙示的に（ｉｍｐｌｉｃｉｔ）示す。また、ＭＵ  ＥＤＣＡパラメータセットを示すフィールドがＵＬ  ＭＵ伝送がスケジューリングされていることを示すフィールドを含む。図９（ｂ）の実施例において、無線通信端末はビーコンフレームを受信する。無線通信端末は、ビーコンフレームからＵＬ  ＭＵスケジューリングに関する情報を獲得する。この際、無線通信端末は、基準地点（ｒｅｆｅｒｅｎｃｅ  ｐｏｉｎｔ）からＵＬ  ＭＵスケジューリングに関する情報を受信したときまでの期間内にＢＳＲを伝送したＡＣに対してＭＵ  ＥＤＣＡパラメータセットを適用する。
【００８０】
他の具体的な実施例において、ベース無線通信端末はＵＬ  ＭＵ伝送スケジューリング可否以外に具体的なＵＬ  ＭＵ伝送スケジューリング情報を伝送する。それについては図１１を介して説明する。
【００８１】
図１１は、本発明の他の実施例によ無線通信端末が無線通信端末からＭＵ  ＥＤＣＡパラメータセットに関する情報を受信し、ＭＵ  ＥＤＣＡパラメータセットに関する情報を適用する動作を示す図である。
【００８２】
ベース無線通信端末は、ＵＬ  ＭＵ伝送がスケジューリングされた無線通信端末を識別する情報を伝送する。無線通信端末はＵＬ  ＭＵ伝送がスケジューリングされた無線通信端末を識別する情報を受信し、ＵＬ  ＭＵ伝送がスケジューリングされた無線通信端末を識別する情報に基づいてＭＵ  ＥＤＣＡパラメータセットを適用する。詳しくは、ベース無線通信端末は、周期的に一定期間の間にＵＬ  ＭＵ伝送がスケジューリングされた無線通信端末を識別する情報を伝送する。この際、ベース無線通信端末は、ビーコンフレームを使用して一定期間の間にＵＬ  ＭＵ伝送がスケジューリングされた無線通信端末を識別する情報を伝送する。また、ベース無線通信端末は、ビーコンフレームのＴＩＭエレメントを使用してＵＬ  ＭＵ伝送がスケジューリングされた無線通信端末を識別する情報を伝送する。他の具体的な実施例において、ベース無線通信端末は、ＵＬ  ＭＵスケジューリングに関する情報を示すエレメントを使用してＵＬ  ＭＵ伝送がスケジューリングされた無線通信端末を識別する情報を伝送する。また、ベース無線通信端末は、ＵＬ  ＭＵ伝送がスケジューリングされた無線通信端末を識別する情報だけでなく、ＵＬ  ＭＵ伝送がスケジューリングされたデータのＡＣを示す情報を共に伝送する。この際、ＵＬ  ＭＵ伝送がスケジューリングされたデータのＡＣを示す情報は、場合によっては全てのＡＣを示し得る。また、ベース無線通信端末は、ＵＬ  ＭＵ伝送がスケジューリングされた無線通信端末を識別する情報だけでなく、ＵＬ  ＭＵ伝送がトリガーされる時点を示す情報を伝送する。この際、ＵＬ  ＭＵ伝送がトリガーされる時点は、トリガー情報が伝送される時点を示す。詳しくは、トリガー情報はトリガーフレームを含む。また、ベース無線通信端末は、トリガー情報を伝送するためのバックオフ手順におけるバックオフタイマー値を伝送する。
【００８３】
図１１の実施例において、第１ステーション（ＳＴＡ１）はアクセスポイント（ＡＰ）にＢＳＲを伝送する。アクセスポイント（ＡＰ）はＢＳＲを受信し、受信したＢＳＲに基づいて第１ステーション（ＳＴＡ１）の上り伝送をスケジューリングする。アクセスポイント（ＡＰ）は、スケジューリングされたＵＬ  ＭＵ伝送に関する情報をビーコンフレームを使用して伝送する。この際、スケジューリングされたＵＬ  ＭＵ伝送に関する情報は、ＵＬ  ＭＵ伝送がスケジューリングされた無線通信端末を識別する情報を含む。この際、スケジューリングされたＵＬ  ＭＵ伝送に関する情報は、ＡＩＤ（Ａｓｓｏｃｉａｔｉｏｎ  ＩＤ）またはＡＩＤに当たる無線通信端末がＵＬ  ＭＵ伝送がスケジューリングされたのかを示すビットマップである。第１ステーション（ＳＴＡ１）はアクセスポイント（ＡＰ）からビーコンフレームを受信し、ビーコンフレームからスケジューリングされたＵＬ  ＭＵ伝送に関する情報を獲得する。スケジューリングされたＵＬ  ＭＵ伝送に関する情報が第１ステーション（ＳＴＡ１）がＵＬ  ＭＵ伝送にスケジューリングされていることを示せば、第１ステーション（ＳＴＡ１）はＭＵ  ＥＤＣＡパラメータセットを適用する。
【００８４】
図１２は、本発明のまた他の実施例による無線通信端末がトリガーフレームからＭＵ  ＥＤＣＡパラメータセットに関する情報を獲得し、ＭＵ  ＥＤＣＡパラメータセットに関する情報を適用する動作を示す図である。
【００８５】
無線通信端末が受信したトリガー情報が無線通信端末のマルチユーザ上り伝送をトリガーするのかに基づいて、無線通信端末はＭＵ  ＥＤＣＡパラメータセットを適用する。詳しくは、無線通信端末が受信したトリガーフレームのＵｓｅｒ  Ｉｎｆｏフィールドが該当無線通信端末を指示するのかに基づいて、無線通信端末はＭＵ  ＥＤＣＡパラメータセットを適用する。具体的な実施例において、無線通信端末は、トリガーフレームを受信した際にＭＵ  ＥＤＣＡパラメータセットを適用する。このような実施例において、無線通信端末がＭＵ  ＥＤＣＡパラメータを適用するようにするために、ベース無線通信端末は別途の情報を伝送しない。但し、ベース無線通信端末はトリガーフレームを伝送するためのチャネルアクセスを試みるが、この際ＵＬ  ＭＵ伝送がスケジューリングされた無線通信端末も従来のＥＤＣＡパラメータセットを使用してチャネルアクセスを試みる。
【００８６】
よって、ベース無線通信端末は、トリガー情報を使用してトリガー情報が伝送された後にトリガーされる無線通信端末に関する情報を伝送する。詳しくは、ベース無線通信端末は、トリガーフレームのＵｓｅｒ  Ｉｎｆｏフィールドを使用してトリガーフレームが伝送された後にトリガーされる無線通信端末に関する情報を伝送する。具体的な実施例において、Ｕｓｅｒ  Ｉｎｆｏフィールドに含まれた資源単位（Ｒｅｓｏｕｒｃｅ  Ｕｎｉｔ、ＲＵ）割当情報を示すフィールドが予め指定された値を示せば、Ｕｓｅｒ  Ｉｎｆｏフィールドは該当ＵｓｅｒＩ  Ｉｎｆｏフィールドが指示する無線通信端末が指示する無線通信端末がトリガーフレームが伝送された後にトリガーされることを示す。この際、無線通信端末は、Ｕｓｅｒ  Ｉｎｆｏフィールドが示すＲＵ割当情報が予め指定された値であれば、該当Ｕｓｅｒ  Ｉｎｆｏフィールドが指示する無線通信端末はＭＵ  ＥＤＣＡパラメータセットを適用する。他の具体的な実施例において、Ｕｓｅｒ  Ｉｎｆｏフィールドに含まれたＲＵ割当情報を示すフィールドの値が予め指定された値であれば、ＲＵ割当情報を示すフィールドはＭＵ  ＥＤＣＡパラメータセットを適用するＡＣを示す。
【００８７】
このような実施例において、Ｕｓｅｒ  Ｉｎｆｏフィールドが指示する無線通信端末は、Ｕｓｅｒ  ＩｎｆｏフィールドのＲＵ割当情報を示すフィールドと、Ｕｓｅｒ  Ｉｎｆｏフィールドが指示する無線通信端末を示すフィールドを除いた残りのフィールドを無視する。また、トリガーフレームが伝送された後にトリガーされる無線通信端末に関する情報を示すＵｓｅｒ  Ｉｎｆｏフィールドの大きさは一般的なＵｓｅｒ  Ｉｎｆｏフィールドの大きさより小さい。詳しくは、ベース無線通信端末は、Ｕｓｅｒ  ＩｎｆｏフィールドのＲＵ割当情報を示すフィールドと、Ｕｓｅｒ  Ｉｎｆｏフィールドが指示する無線通信端末を示すフィールドを除いた残りのフィールドのうち少なくともいずれか一つのフィールドを省略したままＵｓｅｒ  Ｉｎｆｏフィールドを伝送する。トリガーフレームが伝送された後にトリガーされる無線通信端末に関する情報を示すＵｓｅｒ  Ｉｎｆｏフィールドは、トリガーフレームが伝送された後にトリガーされる複数の無線通信端末に関する情報を示す。この際、Ｕｓｅｒ  ＩｎｆｏフィールドはグループＡＩＤを含む。また他の具体的な実施例において、Ｕｓｅｒ  ＩｎｆｏフィールドはブロードキャストＡＩＤを含む。
【００８８】
図１２（ａ）の実施例において、ベース無線通信端末は無線通信端末にトリガーフレームを伝送する。トリガーフレームが指示する無線通信端末は、ＭＵ  ＥＤＣＡパラメータセットを適用する。この際、トリガーフレームは、上述したように、トリガーフレームが伝送された後にトリガーされる無線通信端末に関する情報を含む。詳しくは、トリガーフレームの形式は図１２（ｂ）のようである。
【００８９】
ベース無線通信端末は、ターゲットウェイクタイム（Ｔａｒｇｅｔ  Ｗａｋｅ  Ｔｉｍｅ、ＴＷＴ）エレメントを伝送し、無線通信端末に無線通信端末がウェイクアップすべき時間をシグナリングする。詳しくは、ベース無線通信端末はビーコンフレームを使用してＴＷＴエレメントを伝送する。ベース無線通信端末がＴＷＴエレメントが指示するサービス期間（Ｓｅｒｖｉｃｅ  Ｐｅｒｉｏｄ）にトリガーフレームを伝送するためにチャネルアクセスを試みる際、トリガーフレームによってトリガーされる無線通信端末が上り伝送のためにチャネルアクセスを試みる。このような状況で、無線通信端末のチャネルアクセスの試みはベース無線通信端末のチャネルアクセスの成功可能性を下げる恐れがある。よって、無線通信端末は、ＴＷＴエレメントに基づいてＭＵ  ＥＤＣＡパラメータセットを適用する。それについては、図１３を介して詳しく説明する。
【００９０】
図１３は、本発明の更に他の実施例による無線通信端末がターゲットウェイクタイムエレメントからＭＵ  ＥＤＣＡパラメータセットに関する情報を獲得し、ＭＵ  ＥＤＣＡパラメータセットに関する情報を適用する動作を示す図である。
【００９１】
無線通信端末ば、ＴＷＴエレメントに基づいてＭＵ  ＥＤＣＡパラメータセットを適用する。詳しくは、無線通信端末は、ＴＷＴエレメントが指示するサービス期間に基づいてＭＵ  ＥＤＣＡパラメータセットを適用する。この際、サービス期間は、無線通信端末がベース無線通信端末とフレームを交換し得るように事前に協議した期間を示す。具体的な実施例において、無線通信端末は、ＴＷＴエレメントが指示するサービス期間の開始時点から予め指定された時間だけ遡った時間からＭＵ  ＥＤＣＡパラメータセットを適用する。この際、予め指定された時間はベース無線通信端末によってシグナリングされる。詳しくは、予め指定された時間は、ビーコンフレームのエレメントを介してベース無線通信端末によってシグナリングされる。例えば、予め指定された時間はＭＵ  ＥＤＣＡパラメータセットエレメントを介してベース無線通信端末によってシグナリングされる。他の具体的な実施例において、予め指定された時間はＴＷＴエレメントを介してベース無線通信端末によってシグナリングされる。
【００９２】
また、無線通信端末は、ＴＷＴエレメントが指示するサービス期間に基づいてＭＵ  ＥＤＣＡパラメータセットの適用を終了する。詳しくは、無線通信端末は、ＴＷＴエレメントが指示するサービス期間から予め指定された時間が経過した際にＭＵ  ＥＤＣＡパラメータセットの適用を終了する。具体的な実施例において、無線通信端末は、ＴＷＴエレメントが指示するサービス期間の開始時点に基づいてＭＵ  ＥＤＣＡパラメータセットの適用を終了する。例えば、無線通信端末は、ＴＷＴエレメントが指示するサービス期間の開始時点から予め指定された時間が経過した際にＭＵ  ＥＤＣＡパラメータセットの適用を終了する。また他の具体的な実施例において、無線通信端末は、ＴＷＴエレメントが指示するサービス期間の終了時点に基づいてＭＵ  ＥＤＣＡパラメータセットの適用を終了する。例えば、無線通信端末は、ＴＷＴエレメントが指示するサービス期間の終了時点にＭＵ  ＥＤＣＡパラメータセットの適用を終了する。
【００９３】
図１３の実施例において、ベース無線通信端末は、ＴＷＴエレメントを含むビーコンフレームを伝送してＷＴＷ動作のためのサービス期間をシグナリングする。ビーコンフレームを受信した無線通信端末は、ＴＷＴエレメントに基づいてＭＵ  ＥＤＣＡパラメータセットの適用開始時点と終了時点を決定する。詳しくは、ビーコンフレームを受信した無線通信端末は、ＴＷＴエレメントが指示するサービス期間の開始時点に基づいてＭＵ  ＥＤＣＡパラメータセットの適用開始時点を決定する。また、ビーコンフレームを受信した無線通信端末は、ＴＷＴエレメントが指示するサービス期間の開始時点に基づいてＭＵ  ＥＤＣＡパラメータセットの適用終了時点を決定する。他の具体的な実施例おいて、ビーコンフレームを受信した無線通信端末は、ＴＷＴエレメントが指示するサービス期間の終了時点に基づいてＭＵ  ＥＤＣＡパラメータセットの適用終了時点を決定する。
【００９４】
ＭＵ  ＥＤＣＡパラメータは一般的なパラメータセットより不利なチャネルアクセス条件である。よって、無線通信端末は、ＭＵ  ＥＤＣＡパラメータセットの適用を終了する必要がある。無線通信端末は、ＭＵ  ＥＤＣＡパラメータの適用を終了する際にＭＵ  ＥＤＣＡパラメータセットを一般のＥＤＣＡパラメータセットに転換する。それについては、図１４乃至図１５を介して説明する。
【００９５】
図１４は、本発明の実施例による無線通信端末がＭＵ  ＥＤＣＡパラメータの適用を終了する動作を示す図である。
【００９６】
無線通信端末は、タイマーを設定したときから一定時間が経過するまでＭＵ  ＥＤＣＡパラメータセット適用条件が満足されなければ、ＭＵ  ＥＤＣＡパラメータセットの適用を終了するＭＵ  ＥＤＣＡタイマーを設定する。詳しくは、無線通信端末は、トリガー情報を受信した際にＭＵ  ＥＤＣＡタイマーを設定する。この際、無線通信端末は、ＭＵ  ＥＤＣＡタイマーを設定したときから一定期間の間にＭＵ  ＥＤＣＡパラメータセットの適用条件が満足されなければ、ＭＵ  ＥＤＣＡパラメータセットの適用を終了する。詳しくは、無線通信端末は、ＭＵ  ＥＤＣＡタイマーを設定したときから一定期間の間に無線通信端末のＵＬ  ＭＵ伝送がスケジューリングされなければ、ＭＵ  ＥＤＣＡパラメータセットの適用を終了する。
【００９７】
他の実施例において、無線通信端末は、無線通信端末のトリガー基盤ＰＰＤＵ伝送に対する応答を受信することでＭＵ  ＥＤＣＡタイマーを設定する。詳しくは、無線通信端末がトリガー基盤ＰＰＤＵの伝送に対する応答を受信したら、無線通信端末はＭＵ  ＥＤＣＡタイマーを設定する。無線通信端末のトリガー基盤ＰＰＤＵの伝送が失敗したら、ベース無線通信端末はトリガー情報の伝送を更に試みることができるためである。このような実施例において、無線通信端末は、トリガー基盤ＰＰＤＵの伝送に対する応答を受信できなかった場合に備えられる。詳しくは、無線通信端末は、トリガー基盤ＰＰＤＵを伝送した際から予め指定された時間が過ぎた時点までトリガー基盤ＰＰＤＵの伝送に対する応答を受信できなければ、無線通信端末はＭＵ  ＥＤＣＡパラメータセットタイマーを設定する。この際、予め指定された時間は、ａＳＩＦＳＴｉｍｅ＋ａＲｘＰＨＹＳｔａｒｔＤｅｌａｙ＋（２Ｘ  ａＳｌｏｔＴｉｍｅ）である。
【００９８】
図１４（ａ）の実施例において、無線通信端末はベース無線通信端末からトリガーフレーム（ＴＦ）を受信する。無線通信端末は、ベース無線通信端末にＴＩＤ１とＴＩＤ３にそれぞれ当たるＭＰＤＵを含むトリガー基盤ＰＰＤＵを伝送する。無線通信端末は、ベース無線通信端末からトリガー基盤ＰＰＤＵが含むＭＰＤＵに対するＡＣＫを示すＭ−ＢＡフレームを受信する。このような動作において、無線通信端末は上述したようにトリガーフレーム（ＴＦ）を受信した際にＭＵ  ＥＤＣＡタイマー（ｏｐｔｉｏｎ１）を設定する。また、無線通信端末は、上述したようにＭ−ＢＡフレームを受信した際にＭＵ  ＥＤＣＡタイマー（ｏｐｔｉｏｎ２）を設定する。
【００９９】
また、無線通信端末がベース無線通信端末に一つ以上のＡＣに対して該当ＡＣに対するバッファが空いている（ｅｍｐｔｙ）ことをＢＳＲにレポートしたら、無線通信端末は、該当ＡＣのデータの伝送に対するＡＣＫを受信してＭＵ  ＥＤＣＡパラメータセットの適用を終了する。図１４（ｂ）の実施例において、無線通信端末は、ベース無線通信端末にトリガー基盤ＰＰＤＵを伝送しながらＴＩＤ１に対するバッファが空いていることをレポートする。よって、無線通信端末がＴＩＤ１に当たるＭＰＤＵの最後の伝送に対するＭ−ＢＡフレームを受信した際、無線通信端末はＭＵ  ＥＤＣＡパラメータセットを一般的なＥＤＣＡパラメータセット（Ｌｅｇａｃｙ）に転換する。
【０１００】
他の実施例において、無線通信端末は、トリガー受信情報に応じて第１ＭＵ  ＥＤＣＡタイマーを設定し、トリガー基盤ＰＰＤＵ伝送に対する応答の受信に応じてＭＵ  ＥＤＣＡタイマーを設定する。この際、第１ＭＵタイマーの周期より第２タイマーの周期が短くてもよい。詳しくは、無線通信端末は、トリガー情報を受信した際に第１ＭＵ  ＥＤＣＡタイマーを設定し、トリガー基盤ＰＰＤＵの伝送に対する応答を受信した際にＭＵ  ＥＤＣＡタイマーを設定する。図１４（ｃ）の実施例において、無線通信端末がトリガーフレーム（ＴＦ）を受信した際に第１ＭＵ  ＥＤＣＡタイマー（ｏｐｔｉｏｎ１）を設定する。また、無線通信端末は、Ｍ−ＢＡフレームを受信した際に第１ＭＵ  ＥＤＣＡタイマー（ｏｐｔｉｏｎ）によって設定された満了時間をより早い時期に満了する第２ＭＵ  ＥＤＣＡタイマー（ｏｐｔｉｏｎ２）を設定する。
【０１０１】
また、無線通信端末は、ＭＵ  ＥＤＣＡパラメータの適用条件に応じてＭＵ  ＥＤＣＡタイマーを設定する。それについては、図１５を介して詳しく説明する。
【０１０２】
図１５は、本発明の更に他の実施例による無線通信端末がＭＵ  ＥＣＤＡパラメータの適用を終了する動作を示す図である。
【０１０３】
無線通信端末がＭＵ  ＥＤＣＡパラメータを適用する際、無線通信端末はＭＵ  ＥＤＣＡタイマーを設定する。詳しくは、無線通信端末がベース無線通信端末にＢＳＲを伝送した際、無線通信端末はＭＵ  ＥＤＣＡパラメータセットを適用してＭＵ  ＥＤＣＡタイマーを設定する。この際、無線通信端末が受信したトリガーフレームがＢＳＲを伝送したＡＣのデータ伝送をトリガーする場合、無線通信端末は従来のＭＵ  ＥＤＣＡタイマーを従来のＭＵ  ＥＤＣＡタイマーの満了時間より遅い時間に満了されるＭＵ  ＥＤＣＡタイマーに更新する。図１５（ａ）の実施例において、第１ステーション（ＳＴＡ１）はアクセスポイント（ＡＰ）にＢＳＲを伝送する。この際、第１ステーション（ＳＴＡ１）は、ＭＵ  ＥＤＣＡパラメータセットを適用し、ＭＵ  ＥＤＣＡタイマーを設定する。第１ステーション（ＳＴＡ１）は、アクセスポイント（ＡＰ）からＢＳＲを伝送したＡＣに対するトラフィック伝送をトリガーするトリガーフレームを受信する。よって、第１ステーション（ＳＴＡ１）は、以前設定したＭＵ  ＥＤＣＡタイマーを以前設定したＭＵ  ＥＤＣＡタイマーの満了時間より遅く満了されるＭＵ  ＥＤＣＡタイマーに更新する。
【０１０４】
また、無線通信端末がビーコンフレームが含むＵＬ  ＭＵ伝送スケジューリングに関する情報に基づいてＭＵ  ＥＤＣＡパラメータセットを適用すれば、無線通信端末はＵＬ  ＭＵ伝送スケジューリングに関する情報に基づいてＭＵ  ＥＤＣＡパラメータセットの適用を終了する。詳しくは、ビーコンフレームがＵＬ  ＭＵ伝送スケジューリングに関する情報を含まなければ、無線通信端末はビーコンフレームに基づいてＭＵ  ＥＤＣＡパラメータセットの適用を終了する。また、ビーコンフレームが含むＵＬ  ＭＵ伝送スケジューリングに関する情報が無線通信端末がＵＬ  ＭＵ伝送にスケジューリングされていないことを示せば、無線通信端末はＵＬ  ＭＵ伝送スケジューリングに関する情報に基づいてＭＵ  ＥＤＣＡパラメータセットの適用を終了する。図１５（ｂ）の実施例において、第１ステーション（ＳＴＡ１）はアクセスポイント（ＡＰ）からビーコンフレームを受信する。第１ステーション（ＳＴＡ１）は、ビーコンフレームからＵＬ  ＭＵ伝送スケジューリングに関する情報を獲得する。第１ステーション（ＳＴＡ１）が獲得したＵＬ  ＭＵ伝送スケジューリングに関する情報が無線通信端末のＵＬ  ＭＵ伝送がスケジューリングされていることを示せば、第１ステーション（ＳＴＡ１）はＭＵ  ＥＤＣＡパラメータセットを適用する。次に、第１ステーション（ＳＴＡ１）はアクセスポイント（ＡＰ）からビーコンフレームを更に受信する。第１ステーション（ＳＴＡ１）は、ビーコンフレームからＵＬ  ＭＵ伝送スケジューリングに関する情報を獲得する。第１ステーション（ＳＴＡ１）が獲得したＵＬ  ＭＵ伝送スケジューリングに関する情報が無線通信端末のＵＬ  ＭＵ伝送がスケジューリングされていないことを示せば、第１ステーション（ＳＴＡ１）はＭＵ  ＥＤＣＡパラメータセットから一般的なＥＤＣＡパラメータセットに転換する。
【０１０５】
図１６は、本発明の更に他の実施例による無線通信端末がＭＵ  ＥＤＣＡパラメータを適用する動作を示す図である。
【０１０６】
上述したように、無線通信端末がＭＵ  ＥＤＣＡパラメータを適用する際、無線通信端末はＭＵ  ＥＤＣＡタイマーを設定する。また、図１４を介して説明した実施例のように、無線通信端末はトリガー基盤ＰＰＤＵの伝送に対する応答を受信することでＭＵ  ＥＤＣＡタイマーを設定する。よって、無線通信端末は、トリガー基盤ＰＰＤＵ伝送に対する応答を受信することでＭＵ  ＥＤＣＡパラメータセットを適用する。詳しくは、無線通信端末がトリガー基盤ＰＰＤＵの伝送に対する応答を受信した際、無線通信端末はＭＵ  ＥＤＣＡパラメータセットを適用する。具体的な実施例において、無線通信端末は以下の３つの条件が満足されるとＭＵ  ＥＤＣＡパラメータセットを適用する。第一条件は、無線通信端末がベース無線通信端末から無線通信端末の伝送をトリガーするトリガーフレームを受信することである。詳しくは、無線通信端末が無線通信端末のＡＩＤを指示するトリガーフレームを受信すべきである。この際、トリガーフレームは基本（ｂａｓｉｃ）トリガーフレームである。具体的な実施例において、第一条件はトリガーフレームのＵｓｅｒ  Ｉｎｆｏフィールドが無作為接続（ｒａｍｄｏｎ  ａｃｃｅｓｓ）を指示し、無線通信端末が無作為接続を介してトリガー基盤ＰＰＤＵを伝送する場合を含む。第二条件は、トリガーフレームの受信によってＱｏＳデータフレームを含むトリガー基盤ＰＰＤＵをベース無線通信端末に伝送することである。第三条件は、無線通信端末がベース無線通信端末からトリガー基盤ＰＰＤＵに対する即刻の（ｉｍｍｅｄｉａｔｅ）応答を受信することである。この際、即刻の応答は同じＴＸＯＰ（ｔｒａｎｓｍｉｔ  ｏｐｐｏｒｔｕｎｉｔｙ）内で受信者が予め決められた期間内に伝送者に応答を伝送することを示す。この３つの条件が満足されると、無線通信端末は無線通信端末が伝送したトリガー基盤ＰＰＤＵが含むＱｏＳデータフレームのＡＣにＭＵ  ＥＤＣＡパラメータセットを適用する。また、無線通信端末はベース無線通信端末からトリガー基盤ＰＰＤＵに対する即刻の応答の受信を完了した時点にＭＵ  ＥＤＣＡパラメータセットを適用する。例えば、無線通信端末はベース無線通信端末からトリガー基盤ＰＰＤＵに対するＭ−ＢＡフレームの受信を完了した時点にＭＵ  ＥＤＣＡパラメータセットを適用する。また、ＭＵ  ＥＤＣＡタイマーが満了される前に上述した条件が満足されれば、無線通信端末はＭＵ  ＥＤＣＡパラメータセットに当たる周期を有するＭＵ  ＥＤＣＡタイマーに更新する。ＭＵ  ＥＤＣＡタイマーが満了されたら、無線通信端末はＭＵ  ＥＤＣＡパラメータセットの適用を終了する。
【０１０７】
図１６（ａ）の実施例において、第１ステーション（ＳＴＡ１）はベース無線通信端末からトリガーフレーム（ＴＦ）を受信する。この際、トリガーフレーム（ＴＦ）は第１ステーション（ＳＴＡ１）のＡＩＤを指示する。第１ステーション（ＳＴＡ１）は、ベース無線通信端末にＴＩＤ１とＴＩＤ３に当たるＭＰＤＵを含むトリガー基盤ＰＰＤＵ（ＨＥ  ＴＲＩＧ  ＰＰＤＵ）を伝送する。第１ステーション（ＳＴＡ１）は、ベース無線通信端末からトリガー基盤ＰＰＤＵ（ＨＥ  ＴＲＩＧ  ＰＰＤＵ）に対する応答としてＭ−ＢＡフレームを受信する。第１ステーション（ＳＴＡ１）がＭ−ＢＡフレームに対する受信を完了された際、第１ステーション（ＳＴＡ１）はベース無線通信端末がＭ−ＢＡフレームがＡＣＫを示すＡＣに対してＭＵ  ＥＤＣＡパラメータを適用する。この際、第１ステーション（ＳＴＡ１）はＭ−ＢＡフレームがＡＣＫを示すＡＣに対するＭＵ  ＥＤＣＡタイマーを設定する。
【０１０８】
トリガー基盤ＰＰＤＵに対する即刻の応答を含むＰＰＤＵが他のフレームを更に含む場合であっても、無線通信端末はベース無線通信端末からトリガー基盤ＰＰＤＵに対する即刻の応答の受信を完了時点にＭＵ  ＥＤＣＡパラメータセットを適用する。図１６（ｂ）の実施例において、ベース無線通信端末は第１ステーション（ＳＴＡ１）にトリガー基盤ＰＰＤＵ（ＨＥ  ＴＲＩＧ  ＰＰＤＵ）に対するＭ−ＢＡフレームを伝送しながら、他のフレーム（ＤＬ）を共に伝送する。第１ステーション（ＳＴＡ１）がＭ−ＢＡフレームと他のフレーム（ＤＬ）を含むＰＰＤＵの受信を完了した際、第１ステーション（ＳＴＡ１）はＭ−ＢＡフレームがＡＣＫを示すＡＣに対してＭＵ  ＥＤＣＡパラメータを適用する。この際、第１ステーション（ＳＴＡ１）はＭ−ＢＡフレームがＡＣＫを示すＡＣに対するＭＵ  ＥＤＣＡタイマーを設定する。
【０１０９】
また、同じＴＸＯＰ内で下り伝送と上り伝送が連続に行われる場合、無線通信端末は該当ＴＸＯＰの終了時点にＭＵ  ＥＤＣＡパラメータセットを適用する。図１６（ｃ）の実施例において、ベース無線通信端末は図１６（ｂ）の実施例のように、第１ステーション（ＳＴＡ１）が伝送したトリガー基盤ＰＰＤＵ（ＨＥ  ＴＲＩＧ  ＰＰＤＵ）に対するＭ−ＢＡフレームと他のフレーム（ＤＬ）を共に伝送する。この際、第１ステーション（ＳＴＡ１）はベース無線通信端末に更に上り伝送を行う。第１ステーション（ＳＴＡ１）が上り伝送に対する応答を受信した際、第１ステーション（ＳＴＡ１）はベース無線通信端末がＭ−ＢＡフレームがＡＣＫを示すＡＣに対してＭＵ  ＥＤＣＡパラメータを適用する。この際、第１ステーション（ＳＴＡ１）はＭ−ＢＡフレームがＡＣＫを示すＡＣに対するＭＵ  ＥＤＣＡタイマーを設定する。
【０１１０】
他の具体的な実施例において、無線通信端末がＭＵ  ＥＤＣＡパラメータセットを適用する条件で、無線通信端末が受信するトリガーフレームはＢＳＲ  ｐｏｌｌフレームのようなトリガーフレーム変更（ｖａｒｉａｎｔ）を含む。また、無線通信端末はトリガーフレームの代わりにＵＬ  ＭＵ応答スケジューリング（ｒｅｓｐｏｎｓｅ  ｓｃｈｅｄｕｌｉｎｇ）を受信する。詳しくは、無線通信端末はトリガーフレーム変更またはＵＬ  ＭＵ応答スケジューリングに基づいてＱｏＳデータを伝送した場合、ＭＵ  ＥＤＣＡパラメータセットを適用する。
【０１１１】
上述した実施例において、無線通信端末はトリガー基盤ＰＰＤＵが含むＭＰＤＵが要請する応答の形態を考慮してＭＵ  ＥＤＣＡパラメータセットの適用時期とＭＵ  ＥＤＣＡタイマー設定時期を決定する。それについては、図１７乃至図１８を介して説明する。
【０１１２】
図１７は、本発明の実施例による無線通信端末が生成するＡ−ＭＰＤＵと該当Ａ−ＭＰＤＵに対する応答の形態を示す図である。
【０１１３】
無線通信端末は、ＱｏＳデータフレーム、アクションフレーム、及びコントロールフレームのうち一つ以上のＭＰＤＵを一つのＰＳＤＵに集合してＡ−ＭＰＤＵに伝送する。ＱｏＳデータフレームを含むＡ−ＭＰＤＵは、ＱｏＳデータがＡｃｋを要請するのかに応じてＤａｔａ  Ｅｎａｂｌｅｄ  Ｉｍｍｅｄｉａｔｅ  Ｒｅｓｐｏｎｓｅ（ＤＥＩＲ）またはＤａｔａ  Ｅｎａｂｌｅｄ  Ｎｏ  Ｉｍｍｅｄｉａｔｅ  Ｒｅｓｐｏｎｓｅ（ＤＥＮＩＲ）のコンテキストに分類される。Ａ−ＭＰＤＵを受信した無線通信端末は、ＱｏＳデータがＡｃｋを要請するのかを、ＭＡＣヘッダのＱｏＳ  ＣｏｎｔｒｏｌフィールドのＡＣＫ  Ｐｏｌｉｃｙサブフィールドの値に応じて判断する。この際、ＡＣＫ  Ｐｏｌｉｃｙサブフィールドの値はＴＩＤ別に指示される。また、無線通信端末はＴＩＤのサービスクラスをＱｏＳＡＣＫとＱｏＳＮｏＡＣＫに区分する。Ａ−ＭＰＤＵを伝送する無線通信端末は、ＱｏＳＮｏＡＣＫサービスクラスに当たるＴＩＤに対してＢＡ合意（ａｇｒｅｅｍｅｎｔ）をしない。また、Ａ−ＭＰＤＵを伝送する無線通信端末は、ＱｏＳＮｏＡＣＫサービスクラスに当たるＴＩＤのＡＣＫ  Ｐｏｌｉｃｙサブフィールドの値をＮｏ  ＡＣＫに設定する。
【０１１４】
無線通信端末が一つのＴＩＤに当たる複数のＭＰＤＵを集合してＡ−ＭＰＤＵを伝送する場合、Ａ−ＭＰＤＵのＡＣＫを要請するＴＩＤのＭＤＰＵを含むのかに応じて該当Ａ−ＭＰＤＵの即刻の応答のコンテキストが決定される。詳しくは、一つのＴＩＤに当たる複数のＭＰＤＵのみを含むＡ−ＭＰＤＵがＡＣＫを要請するＴＩＤのＭＰＤＵを含めば、該当Ａ−ＭＰＤＵの即刻の応答のコンテキストはＤＥＩＲである。また、一つのＴＩＤに当たる複数のＭＰＤＵのみを含むＡ−ＭＰＤＵがＡＣＫを要請しないＴＩＤのＭＰＤＵを含めば、該当Ａ−ＭＰＤＵの即刻の応答のコンテキストはＤＥＮＩＲである。
【０１１５】
上述したように、無線通信端末は複数のＴＩＤそれぞれに当たる複数のＭＰＤＵを集合して複数のＴＩＤ  Ａ−ＭＰＤＵを生成する。複数のＴＩＤ  Ａ−ＭＰＤＵの即刻の応答のコンテキストは、以下のように分類される。複数のＴＩＤ  Ａ−ＭＰＤＵがＡＣＫを要請するＴＩＤを一つ以上含めば、該当複数のＴＩＤ  Ａ−ＭＰＤＵの即刻の応答コンテキストはＤＥＩＲである。また、複数のＴＩＤ  Ａ−ＭＰＤＵがＡＣＫを要請しないＴＩＤ、またはＴＩＤのないフレームのみを含めば、該当複数のＴＩＤ  Ａ−ＭＰＤＵの即刻の応答コンテキストはＤＥＮＩＲである。図１７（ａ）の実施例において、Ａ−ＭＰＤＵはＴＩＤが１のＭＰＤＵ、ＴＩＤが２のＭＰＤＵ、ＴＩＤが３のＭＰＤＵ、及びアクションフレームを含む。ＴＩＤが３のＭＰＤＵはＡｃｋを要請しないが、ＴＩＤが１のＭＰＤＵ、ＴＩＤが２のＭＰＤＵ、及びアクションフレームそれぞれは即刻の応答を要請する。よって、Ａ−ＭＰＤＵの即刻の応答コンテキストはＤＥＩＲである。図１７（ｂ）の実施例において、Ａ−ＭＰＤＵはＴＩＤが１のＭＰＤＵ、ＴＩＤが２のＭＰＤＵ、ＴＩＤが３のＭＰＤＵ、及びアクションＮｏ  Ａｃｋフレームを含む。ＴＩＤが１のＭＰＤＵ、ＴＩＤが２のＭＰＤＵ、及びアクションフレームそれぞれは即刻の応答を要請する。ＴＩＤが１のＭＰＤＵ、ＴＩＤが２のＭＰＤＵ、ＴＩＤが３のＭＰＤＵ、及びアクションＮｏ  Ａｃｋフレームは共に即刻の応答を要請しない。よって、Ａ−ＭＰＤＵの即刻の応答のコンテキストはＤＥＮＩＲである。
【０１１６】
図１６を介して説明した実施例において、無線通信端末はトリガー基盤ＰＰＤＵが含むＭＰＤＵに対する即刻の応答に基づいてＭＵ  ＥＤＣＡパラメータを適用し、ＭＵ  ＥＤＣＡタイマーを設定する。図１７を介して説明したように、トリガー基盤ＰＰＤＵが含むＱｏＳデータフレームがＡｃｋを要請しない可能性がある。トリガー基盤ＰＰＤＵが含むＱｏＳデータフレームがＡｃｋを要請しない場合、無線通信端末のＭＵ  ＥＤＣＡパラメータセットの適用動作、及びＭＵ  ＥＤＣＡタイマー設定動作については図１８を介して説明する。
【０１１７】
図１８は、本発明の更に他の実施例による無線通信端末がＭＵ  ＥＤＣＡパラメータを適用する動作を示す図である。
【０１１８】
無線通信端末が伝送したトリガー基盤ＰＰＤＵが含むＱｏＳデータフレームがＡＣＫを要請しなければ、無線通信端末はトリガー基盤ＰＰＤＵの伝送が終わる時点にＭＵ  ＥＤＣＡパラメータセットを適用する。また、無線通信端末が伝送したトリガー基盤ＰＰＤＵが含むＱｏＳデータフレームがＡＣＫを要請しなければ、無線通信端末はトリガー基盤ＰＰＤＵの伝送が終わる時点にＭＵ  ＥＤＣＡタイマーを設定する。図１６を介して説明した実施例のように、無線通信端末がトリガーフレームの変形を受信するかＵＬ  ＭＵ応答スケジューリングに基づいてトリガー基盤ＰＰＤＵを伝送した場合も、無線通信端末はトリガー基盤ＰＰＤＵの伝送が終わる時点にＭＵ  ＥＤＣＡパラメータセットを適用する。この際、無線通信端末はトリガー基盤ＰＰＤＵの伝送が終わる時点にＭＵ  ＥＤＣＡタイマーを設定する。他の具体的な実施例において、無線通信端末が伝送したトリガー基盤ＰＰＤＵが含むＡ−ＭＰＤＵの即刻の応答コンテキストがＤＥＮＩＲであれば、無線通信端末はトリガー基盤ＰＰＤＵの伝送が終わる時点にＭＵ  ＥＤＣＡパラメータセットを適用する。また、無線通信端末が伝送したトリガー基盤ＰＰＤＵが含むＡ−ＭＰＤＵの即刻の応答コンテキストがＤＥＮＩＲであれば、無線通信端末はトリガー基盤ＰＰＤＵの伝送が終わる時点にＭＵ  ＥＤＣＡタイマーを設定する。図１８（ａ）の実施例において、無線通信端末はベース無線通信端末からトリガーフレーム（ＴＦ）を受信する。無線通信端末は、ベース無線通信端末にトリガーフレームの受信によって即刻の応答コンテキストがＤＥＮＩＲであるＡ−ＭＰＤＵを含むトリガー基盤ＰＰＤＵ（ＨＥ  ＴＲＩＧ  ＰＰＤＵ）を伝送する。無線通信端末は、トリガー基盤ＰＰＤＵ（ＨＥ  ＴＲＩＧ  ＰＰＤＵ）の伝送が終わる時点にＭＵ  ＥＤＣＡパラメータセットを適用してＭＵ  ＥＤＣＡタイマーを始める。
【０１１９】
他の具体的な実施例において、無線通信端末が伝送したトリガー基盤ＰＰＤＵが含むＱｏＳデータフレームがＡＣＫを要請しなければ、無線通信端末はトリガー基盤ＰＰＤＵの伝送が終わる時点から予め設定された時間が経過した際にＭＵ  ＥＤＣＡパラメータセットを適用する。また、無線通信端末が伝送したトリガー基盤ＰＰＤＵが含むＱｏＳデータフレームがＡＣＫを要請しなければ、無線通信端末はトリガー基盤ＰＰＤＵの伝送が終わる時点から予め設定された時間が経過した際にＭＵ  ＥＤＣＡタイマーを設定する。また他の具体的な実施例において、無線通信端末が伝送したトリガー基盤ＰＰＤＵが含むＡ−ＭＰＤＵの即刻の応答のコンテキストがＤＥＮＩＲであれば、無線通信端末はトリガー基盤ＰＰＤＵの伝送が終わる時点から予め設定された時間が経過した際にＭＵ  ＥＤＣＡパラメータセットを適用する。また、無線通信端末が伝送したトリガー基盤ＰＰＤＵが含むＡ−ＭＰＤＵの即刻の応答コンテキストがＤＥＮＩＲであれば、無線通信端末はトリガー基盤ＰＰＤＵの伝送が終わる時点から予め設定された時間が経過した際にＭＵ  ＥＤＣＡタイマーを設定する。この際、予め設定された時間はＳＩＦＳ（ｓｈｏｒｔ  ｉｎｔｅｒ  ｆｒａｍｅ  ｓｐａｃｅ）である。他の具体的な実施例において、予め設定された時間は予め設定された代表ＡＣＫ伝送時間とＳＩＦＳを足した時間である。図１８（ｂ）の実施例において、無線通信端末はベース無線通信端末からトリガーフレーム（ＴＦ）を受信する。無線通信端末は、トリガーフレームの受信によって即刻の応答コンテキストがＤＥＮＩＲであるＡ−ＭＰＤＵを含むトリガー基盤ＰＰＤＵ（ＨＥ  ＴＲＩＧ  ＰＰＤＵ）をベース無線通信端末に伝送する。無線通信端末は、トリガー基盤ＰＰＤＵ（ＨＥ  ＴＲＩＧ  ＰＰＤＵ）の伝送が終わる時点から予め設定された時間が経過した際にＭＵ  ＥＤＣＡパラメータセットを適用し、ＭＵ  ＥＤＣＡタイマーを始める。この際、設定された時間はＳＩＦＳである。他の具体的な実施例において、予め設定された時間はＳＩＦＳと予め設定された代表ＡＣＫ伝送時間（Ａｃｋ  ｔｉｍｅ）を足した時間である。
【０１２０】
また他の具体的な実施例において、無線通信端末が伝送したトリガー基盤ＰＰＤＵが含むＱｏＳデータフレームがＡＣＫを要請しなければ、無線通信端末は無線通信端末と同時にトリガー基盤ＰＰＤＵを伝送した他の無線通信端末のトリガー基盤ＰＰＤＵの伝送に対する即刻の応答に基づいてＭＵ  ＥＤＣＡパラメータセットを適用する。更に他の具体的な実施例において、無線通信端末が伝送したトリガー基盤ＰＰＤＵが含むＡ−ＭＰＤＵの即刻の応答のコンテキストがＤＥＮＩＲであれば、無線通信端末は無線通信端末と同時にトリガー基盤ＰＰＤＵを伝送した他の無線通信端末のトリガー基盤ＰＰＤＵの伝送に対する即刻の応答に基づいてＭＵ  ＥＤＣＡパラメータセットを適用する。このような実施例において、無線通信端末が無線通信端末と同時にトリガー基盤ＰＰＤＵを伝送した他の無線通信端末のトリガー基盤ＰＰＤＵの伝送に対する即刻の応答を受信した際、無線通信端末はＭＵ  ＥＤＣＡパラメータセットを適用する。無線通信端末が無線通信端末と同時にトリガー基盤ＰＰＤＵを伝送した他の無線通信端末のトリガー基盤ＰＰＤＵの伝送に対する即刻の応答を受信できなければ、無線通信端末は無線通信端末が伝送したトリガー基盤ＰＰＤＵを伝送した際から予め指定された期間が経過した際にＭＵ  ＥＤＣＡパラメータセットを適用する。無線通信端末が伝送したトリガー基盤ＰＰＤＵを伝送したときから予め指定された期間が経過したときは、ＰＨＹ−ＴＸＥＮＤ．ｃｏｎｆｉｒｍ  ｐｒｉｍｉｔｉｖｅの後の時点からａＳＩＦＳＴｉｍｅ＋ａＳｌｏｔＴｉｍｅ＋ａＲｘＰＨＹＳｔａｒｔ−Ｄｅｌａｙだけ経過したときである。
【０１２１】
また、無線通信端末が伝送したトリガー基盤ＰＰＤＵが含むＱｏＳデータフレームがＡＣＫを要請しなければ、無線通信端末は無線通信端末と同時にトリガー基盤ＰＰＤＵを伝送した他の無線通信端末のトリガー基盤ＰＰＤＵの伝送に対する即刻の応答に基づいてＭＵ  ＥＤＣＡタイマーを設定する。他の具体的な実施例において、無線通信端末が伝送したトリガー基盤ＰＰＤＵが含むＡ−ＭＰＤＵの即刻の応答コンテキストがＤＥＮＩＲであれば、無線通信端末は無線通信端末と同時にトリガー基盤ＰＰＤＵを伝送した他の無線通信端末のトリガー基盤ＰＰＤＵの伝送に対する即刻の応答に基づいてＭＵ  ＥＤＣＡタイマーを設定する。このような実施例において、無線通信端末が無線通信端末と同意時にトリガー基盤ＰＰＤＵを伝送した他の無線通信端末のトリガー基盤ＰＰＤＵの伝送に対する即刻の応答を受信した際、無線通信端末はＭＵ  ＥＤＣＡタイマーを設定する。無線通信端末が無線通信端末と同意時にトリガー基盤ＰＰＤＵを伝送した他の無線通信端末のトリガー基盤ＰＰＤＵの伝送に対する即刻の応答を受信できなければ、無線通信端末は無線通信端末が伝送したトリガー基盤ＰＰＤＵを伝送したときから予め指定された期間が経過したときにＭＵ  ＥＤＣＡタイマーを設定する。無線通信端末が伝送したトリガー基盤ＰＰＤＵを伝送したときから予め指定された期間が経過したときは、ＰＨＹ−ＴＸＥＮＤ．ｃｏｎｆｉｒｍ  ｐｒｉｍｉｔｉｖｅの後の時点からａＳＩＦＳＴｉｍｅ＋ａＳｌｏｔＴｉｍｅ＋ａＲｘＰＨＹＳｔａｒｔ−Ｄｅｌａｙだけ経過したときである。
【０１２２】
図１８（ｃ）の実施例において、無線通信端末はトリガーフレーム（ＴＦ）を受信し、トリガーフレームの受信によって即刻の応答のコンテキストがＤＥＮＩＲであるＡ−ＭＰＤＵを含むトリガー基盤ＰＰＤＵ（ＨＥ  ＴＲＩＧ  ＰＰＤＵ）を伝送する。無線通信端末は、無線通信端末がトリガー基盤ＰＰＤＵ（ＨＥ  ＴＲＩＧ  ＰＰＤＵ）を伝送した際に、同時にトリガー基盤ＰＰＤＵを伝送した他の無線通信端末のトリガー基盤ＰＰＤＵに対するＭ−ＢＡフレームの伝送を感知する。無線通信端末は、他の無線通信端末のトリガー基盤ＰＰＤＵに対するＭ−ＢＡフレームの受信が終わる時点にＭＵ  ＥＤＣＡパラメータセットを適用してＭＵ  ＥＤＣＡタイマーを始める。図１８（ｄ）の実施例のように、無線通信端末が他の無線通信端末のトリガー基盤ＰＰＤＵに対するＭ−ＢＡフレームを受信できなければ、無線通信端末はトリガー基盤ＰＰＤＵ（ＨＥ  ＴＲＩＧ  ＰＰＤＵ）を伝送したときからａＳＩＦＳＴｉｍｅ＋ａＳｌｏｔＴｉｍｅ＋ａＲｘＰＨＹＳｔａｒｔ−Ｄｅｌａｙだけ経過した時点にＭＵ  ＥＤＣＡパラメータセットを適用し、ＭＵ  ＥＤＣＡタイマーを始める。
【０１２３】
このような実施例において、無線通信端末は図１６を介して説明した実施例のように、トリガー基盤ＰＰＤＵを介して伝送されたＱｏＳデータフレームに当たるＡＣにＭＵ  ＥＤＣＡパラメータセットを適用する。
【０１２４】
他の具体的な実施例において、無線通信端末がトリガー基盤ＰＰＤＵを伝送した際、無線通信端末はＡＣＫを要請しないＱｏＳデータフレームを伝送できないものに制限される。詳しくは、無線通信端末がトリガー基盤ＰＰＤＵを伝送する際、無線通信端末はＡｃｋ  ＰｏｌｉｃｙサブフィールドがＮｏ  Ａｃｋに設定されたＱｏＳデータフレームを伝送できないものに制限される。
【０１２５】
無線通信端末が個別ＭＵ  ＥＤＣＡパラメータセットを適用する動作については、図１９乃至図２１を介して説明する。
【０１２６】
図１９は、本発明の実施例による無線通信端末がＭＵ  ＥＤＣＡパラメータセットを適用する動作を示す図である。
【０１２７】
上述したように、ＥＤＣＡパラメータセットはバックオフタイマーとＣＷに関するパラメータを含む。無線通信端末が現在使用中の第１ＥＤＣＡパラメータセットを第２ＥＤＣＡパラメータセットに転換する際、無線通信端末はバックオフ手順で現在使用中のバックオフタイマーの値を第２ＥＤＣＡパラメータセットに基づいて変更する。この際、第１ＥＤＣＡパラメータセットは一般のＥＤＣＡパラメータセットであり、第２パラメータセットはＭＵ  ＥＤＣＡパラメータセットである。また、第１ＥＤＣＡパラメータセットはＭＵ  ＥＤＣＡパラメータセットであり、第２パラメータセットは一般のＥＤＣＡパラメータセットである。無線通信端末がＥＤＣＡパラメータセットを転換する際、バックオフタイマーの値を変更しなければ、ＥＤＣＡパラメータセットの転換によって発生するチャネルアクセス優先順位の変更効果が直ちに適用されないことがあるためである。
【０１２８】
具体的な実施例において、無線通信端末は、バックオフ手順で現在使用中のバックオフタイマーに第２ＥＤＣＡパラメータセットに基づいて決定された値をかける。この際、第２ＥＣＤＡパラメータセットに基づいて決定された値は、第２ＥＤＣＡパラメータセットのＣＷパラメータ値に基づいて決定された値である。詳しくは、第２パラメータセットに基づいて決定された値は、第２ＥＤＣＡパラメータセットのＣＷｍｉｎを第１ＥＤＣＡパラメータセットのＣＷｍｉｎに割った値である。他の具体的な実施例において、第２ＥＤＣＡパラメータセットに基づいて決定された値は、第２ＥＤＣＡパラメータえっとのＣＷｍａｘを第１ＥＣＤＡパラメータセットのＣＷｍａｘに割った値であってもよい。また他の具体的な実施例において、無線通信端末がバックオフ手順で現在使用中のバックオフタイマーの値が第２ＥＤＣＡパラメータセットのＣＷｍｉｎより小さければ、無線通信端末はバックオフタイマーの値を第２ＥＤＣＡパラメータセットのＣＷｍｉｎに設定する。また、無線通信端末がバックオフ手順において現在使用中のバックオフタイマーの値が第２ＥＤＣＡパラメータセットのＣＷｍａｘより大きければ、無線通信端末はバックオフタイマーの値を第２ＥＤＣＡパラメータセットのＣＷｍａｘに設定する。
【０１２９】
無線通信端末が現在使用中の第１ＥＤＣＡパラメータセットを第２ＥＤＣパラメータセットに転換する際、無線通信端末はバックオフ手順で現在使用中のＣＷに関するパラメータの値を第２ＥＤＣＡパラメータセットに基づいて変更する。この際、ＣＷに関するパラメータはＣＷｍｉｎとＣＷｍａｘを含む。また、ＥＤＣＡパラメータセットはチャネル再伝送試みの回数に応じてＣＷ値を調節するパラメータであるショートリトライリミット（ｓｈｏｒｔ  ｒｅｔｒｙ  ｌｉｍｉｔ）とロングリトライリミット（ｌｏｎｇ  ｒｅｔｒｙ  ｌｉｍｉｔ）を含む。また、第１ＥＤＣＡパラメータセットは一般のＥＣＤＡパラメータセットであり、第２ＥＤＣＡパラメータセットはＭＵ  ＥＤＣＡパラメータセットである。また、第１ＥＤＣＡパラメータセットはＭＵ  ＥＤＣＡパラメータセットであり、第２パラメータセットは一般のＥＤＣＡパラメータセットであってもよい。無線通信端末は、バックオフ手順でＣＷの値を増加させる。この際、ＣＷの値はＣＷｍａｘの値に制限されるが、無線通信端末はリトライの限界値に応じてＣＷの値をＣＷｍｉｎにリセットする。無線通信端末がＥＣＤＡパラメータセットを転換しながらこのような制約条件が適用されない可能性があるためである。
【０１３０】
詳しくは、無線通信端末がバックオフ手順において現在使用中のＣＷ値が第２ＥＤＣＡパラメータセットのＣＷｍｉｎより小さければ、無線通信端末はＣＷ値を第２ＥＤＣＡパラメータセットのＣＷｍｉｎに設定する。また、無線通信端末がバックオフ手順において現在使用中のＣＷ値が第２ＥＤＣＡパラメータセットのＣＷｍａｘより小さければ、無線通信端末はＣＷ値を第２ＥＤＣＡパラメータセットのＣＷｍａｘに設定する。また、ＱＳＲＣ（ＱｏＳ  ｓｈｏｒｔ  ｒｅｔｒｙ  ｃｏｕｎｔｅｒ）がショートリトライリミットより大きいかＱＬＲＣ（ＱｏＳ  ｌｏｎｇ  ｒｅｔｒｙ  ｃｏｕｎｔｅｒ）がショートリトライリミットより大きければ、無線通信端末はＣＷ値を第２ＥＤＣＡパラメータセットのＣＷｍｉｎに設定する。
【０１３１】
図１９の実施例において、無線通信端末はＡＣ  ＢＥに対する一般のＥＤＣＡパラメータセット（Ｌｅｇａｃｙ  ＥＤＣＡ  ｐａｒａｍｅｔｅｒ  ｓｅｔ）をＭＵ  ＥＤＣＡパラメータセットに転換する。この際、無線通信端末はバックオフタイマーの値（ＢＯＭＵ［ＢＥ］）をＭＵ  ＥＤＣＡパラメータセットに基づいて獲得した値（ａ［ＡＣ］）と現在のバックオフ手順におけるバックオフタイマーの値（ＢＯ［ＢＥ］）の積に設定する。また、無線通信端末はＣＷ値（ＣＷＭＵ［ＢＥ］）を現在のバックオフ手順においてＣＷ値（ＣＷ［ＢＥ］）とＭＵ  ＥＤＣＡパラメータセットのＣＷｍｉｎ（ＣＷｍｉｎ［ＢＥ］）のうち大きい値に設定する。無線通信端末がＭＵ  ＥＤＣＡパラメータセットを一般のＥＤＣＡパラメータセット（Ｌｅｇａｃｙ  ＥＤＣＡ  ｐａｒａｍｅｔｅｒ  ｓｅｔ）に変換する際、無線通信端末はＣＷ値（ＣＷ［ＢＥ］）を現在のバックオフ手順からＣＷ（ＣＷＭＵ［ＢＥ］）値と一般のＥＤＣＡパラメータセット（Ｌｅｇａｃｙ  ＥＤＣＡ  ｐａｒａｍｅｔｅｒ  ｓｅｔ）のＣＷｍａｘ（ＣＷｍａｘ［ＢＥ］）のうち小さい値に設定する。
【０１３２】
無線通信端末がＣＷを設定する具体的な動作については、図２０以降を介して更に説明する。
【０１３３】
図２０は、本発明の実施例による無線通信端末がＥＤＣＡパラメータセットを変更しながらＣＷ値を変更する動作を示す図である。
【０１３４】
無線通信端末は、バックオフ手順の途中に以下のような３つの状況でＣＷ値を変更する。
【０１３５】
１）ＴＸＯＰの先頭（ｉｎｉｔｉａｌ）ＰＰＤＵの伝送が失敗し、ＭＰＤＵのＡＣがプライマリーＡＣである場合
【０１３６】
２）２つ以上のＥＤＣＡＦが同じ無線通信端末内で競争し、無線通信端末の伝送試みが無線通信端末の内部でより高い優先度（ｐｒｉｏｒｉｔｙ）を有する他のＥＤＣＡＦと衝突する場合
【０１３７】
３）ＰＨＹＴＸＳＴＡＲＴ．ｒｅｑｕｅｓｔ  ｐｒｉｍｉｔｉｖｅに対してＰＨＹ−ＴＸＢＵＳＹ．ｉｎｄｉｃａｔｉｏｎ（ＢＵＳＹ）ｐｒｉｍｉｔｉｖｅで応答するものであって、ＭＭ−ＳＭＥ（ｍｕｌｔｉｐｌｅ  ＭＡＣ−ｓｔａｔｉｏｎ  ｍａｎａｇｅｍｅｎｔ  ｅｎｔｉｔｙ）によって調整された（ｃｏｏｒｄｉｎａｔｅｄ）無線通信端末の伝送試みが同じＭＭ−ＳＭＥによって調整された他の無線通信端末の伝送試みと衝突する場合
【０１３８】
この際、無線通信端末は以下の規則に従ってＣＷ値を変更する。
【０１３９】
ａ）ＡＣに当たるＱＳＲＣ(ＱＳＲＣ［ＡＣ］）がショートリトライリミット（ｄｏｔ１１ＳｈｏｒｔＲｅｔｒｙＬｉｍｉｔ）に達するか、ＡＣに当たるＱＬＲＣ（ＱＬＲＣ［ＡＣ］）がロングリトライリミット（ｄｏｔ１１ＬｏｎｇＲｅｔｒｙＬｉｍｉｔ）に達すれば、無線通信端末は該当ＡＣに当たるＣＷ値（ＣＷ［ＡＣ］）をＣＷｍｉｎ値（ＣＷｍｉｎ［ＡＣ］）にリセットする。
【０１４０】
ｂ）ｄｏｔ１１ＲｏｂｕｓｔＡＶＳｔｒｅｍｉｎｇＩｍｐｌｅｍｅｎｔｅｄの値が真実（ｔｒｕｅ）でＡＣに当たるＱＳＤＲＣ（ＱｏＳ  ｓｈｏｒｔ  ｄｒｏｐ  ｒｅｔｒｙ  ｃｏｕｎｔ）（ＱＳＤＲＣ［ＡＣ］）がｄｏｔ１１ＳｈｏｒｔＤＥＩＲｅｔｒｙＬｉｍｉｔに達するか（ｒｅａｃｈ）、ＡＣに当たるＱＬＤＲＣ（ＱｏＳ  ｌｏｎｇ  ｄｒｏｐ  ｒｅｔｒｙ  ｃｏｕｎｔ）（ＱＬＤＲＣ［ＡＣ］）がｄｏｔ１１ＬｏｎｇＤＥＩＲｅｔｒｙＬｉｍｉｔに達すれば、無線通信端末は該当ＡＣに当たるＣＷ値（ＣＷ［ＡＣ］）をＣＷｍｉｎ値（ＣＷｍｉｎ［ＡＣ］）にリセットする。
【０１４１】
ｃ）その他（ｏｔｈｅｒｗｉｓｅ）
【０１４２】
ｃ−１）ＡＣに当たるＣＷ値（ＣＷ［ＡＣ］）がＡＣに当たるＣＷｍａｘ値（ＣＷｍａｘ［ＡＣ］）より小さければ、無線通信端末はＡＣに当たるＣＷ値（ＣＷ［ＡＣ］）を（ＣＷ［ＡＣ］＋１）×２−１に設定する。
【０１４３】
ｃ−２）ＡＣに当たるＣＷ値（ＣＷ［ＡＣ］）がＡＣに当たるＣＷｍａｘ値（ＣＷｍａｘ［ＡＣ］）と同じであれば、無線通信端末はＡＣに当たるＣＷ値（ＣＷ［ＡＣ］）を変更しない。
【０１４４】
１）、２）、３）の状況はいずれも伝送失敗、内部競争失敗などによって無線通信端末が伝送をリトライする場合である。また、ａ）とｂ）において、無線通信端末はリトライ回数の超過のためＣＷ値をリセットする。ｃ）において、無線通信端末は伝送をリトライするためにＣＷ値を変更する。ａ）、ｂ）、ｃ）において、無線通信端末はＥＤＣＡパラメータセットが変わる場合を考慮せずに動作する。例えば、ＡＣに当たるＣＷ値がＣＷｍｉｎと同じ値で、無線通信端末が以前のＥＤＣＡパラメータセットより大きいＣＷｍｉｎ  を有するＥＤＣＡパラメータセットを適用する。この際、無線通信端末は新たなＥＤＣＡパラメータセットのＣＷｍｉｎより小さいＣＷ値を使用するようになる。また、ＡＣに当たるＣＷ値がＣＷＭａｘと同じ値で、無線通信端末が以前のＥＤＣＡパラメータセットより小さいＣＷｍａｘを有するＥＤＣＡパラメータセットを適用する。この際、無線通信端末は新たなＥＤＣＡパラメータセットのＣＷｍａｘより小さい大きいＣＷ値を使用するようになる。この際、上述したｃ−１）とｃ−２）のいずれの条件にも当たらないため、無線通信端末はＣＷ値をＣＷｍｉｎとＣＷｍａｘの範囲内に変更できない問題が発生する恐れがある。よって、ｃ）における無線通信端末の動作を以下のように変更することができる。
【０１４５】
ｃ−１）レガシー無線通信端末（ｎｏｎ−ＨＥ  ＳＴＡ）の場合
【０１４６】
ｃ−１−１）ＡＣに当たるＣＷ値（ＣＷ［ＡＣ］）がＡＣに当たるＣＷｍａｘ値（ＣＷｍａｘ［ＡＣ］）より小さければ、無線通信端末はＡＣに当たるＣＷ値（ＣＷ［ＡＣ］）を（ＣＷ［ＡＣ］＋１）×２−１に設定する。
【０１４７】
ｃ−２−２）ＡＣに当たるＣＷ値（ＣＷ［ＡＣ］）がＡＣに当たるＣＷｍａｘ値（ＣＷｍａｘ［ＡＣ］）と同じであれば、無線通信端末はＡＣに当たるＣＷ値（ＣＷ［ＡＣ］）を変更しない。
【０１４８】
ｃ−２）ノンレガシー無線通信端末（ＨＥ  ＳＴＡ）の場合
【０１４９】
ｃ−２−１）ＡＣに当たるＣＷ値（ＣＷ［ＡＣ］）がＣＷｍｉｎ値（ＣＷｍｉｎ［ＡＣ］）より小さければ、無線通信端末はＡＣに当たるＣＷ値（ＣＷ［ＡＣ］）をＣＷｍｉｎ値（ＣＷｍｉｎ［ＡＣ］）に設定する。
【０１５０】
ｃ−２−２）ＡＣに当たるＣＷ値（ＣＷ［ＡＣ］）がＡＣに当たるＣＷｍａｘ値（ＣＷｍａｘ［ＡＣ］）より小さければ、無線通信端末はＡＣに当たるＣＷ値（ＣＷ［ＡＣ］）を（ＣＷ［ＡＣ］＋１）×２−１に設定する。
【０１５１】
ｃ−２−３）ＡＣに当たるＣＷ値（ＣＷ［ＡＣ］）がＡＣに当たるＣＷｍａｘ値（ＣＷｍａｘ［ＡＣ］）と同じであれば、無線通信端末はＡＣに当たるＣＷ値（ＣＷ［ＡＣ］）を変更しない。
【０１５２】
ｃ−２−４）ＡＣに当たるＣＷ値（ＣＷ［ＡＣ］）がＣＷｍａｘ値（ＣＷｍａｘ［ＡＣ］）より大きければ、無線通信端末はＡＣに当たるＣＷ値（ＣＷ［ＡＣ］）をＣＷｍａｘ値（ＣＷｍａｘ［ＡＣ］）に設定する。
【０１５３】
他の実施例において、無線通信端末は上述したｃ）において以下のように動作する。
【０１５４】
ｃ−１）レガシー無線通信端末（ｎｏｎ−ＨＥ  ＳＴＡ）の場合
【０１５５】
ｃ-１−１）ＡＣに当たるＣＷ値（ＣＷ［ＡＣ］）がＡＣに当たるＣＷｍａｘ値（ＣＷｍａｘ［ＡＣ］）より小さければ、無線通信端末はＡＣに当たるＣＷ値（ＣＷ［ＡＣ］）を（ＣＷ［ＡＣ］＋１）×２−１に設定する。
【０１５６】
ｃ−２−２）ＡＣに当たるＣＷ値（ＣＷ［ＡＣ］）がＡＣに当たるＣＷｍａｘ値（ＣＷｍａｘ［ＡＣ］）と同じであれば、無線通信端末はＡＣに当たるＣＷ値（ＣＷ［ＡＣ］）を変更しない。
【０１５７】
ｃ−２）ノンレガシー無線通信端末（ＨＥ  ＳＴＡ）の場合
【０１５８】
ｃ-２−１）ＡＣに当たるＣＷ値（ＣＷ［ＡＣ］）がＡＣに当たるＣＷｍａｘ値（ＣＷｍａｘ［ＡＣ］）より小さければ、無線通信端末はＡＣに当たるＣＷ値（ＣＷ［ＡＣ］）を（ＣＷ［ＡＣ］＋１）×２−１とＣＷｍｉｎ値（ＣＷｍｉｎ［ＡＣ］）のうち大きい値に設定する。
【０１５９】
ｃ−２−２）ＡＣに当たるＣＷ値（ＣＷ［ＡＣ］）がＡＣに当たるＣＷｍａｘ値（ＣＷｍａｘ［ＡＣ］）より大きいか同じであれば、無線通信端末はＡＣに当たるＣＷ値（ＣＷ［ＡＣ］）をＣＷｍａｘ値（ＣＷｍａｘ［ＡＣ］）に設定する。
【０１６０】
また他の実施例において、無線通信端末は上述したｃ）において以下のように動作する。
【０１６１】
ｃ−１）レガシー無線通信端末（ｎｏｎ−ＨＥ  ＳＴＡ）の場合
【０１６２】
ｃ-１−１）ＡＣに当たるＣＷ値（ＣＷ［ＡＣ］）がＡＣに当たるＣＷｍａｘ値（ＣＷｍａｘ［ＡＣ］）より小さければ、無線通信端末はＡＣに当たるＣＷ値（ＣＷ［ＡＣ］）を（ＣＷ［ＡＣ］＋１）×２−１に設定する。
【０１６３】
ｃ−２−２）ＡＣに当たるＣＷ値（ＣＷ［ＡＣ］）がＡＣに当たるＣＷｍａｘ値（ＣＷｍａｘ［ＡＣ］）と同じであれば、無線通信端末はＡＣに当たるＣＷ値（ＣＷ［ＡＣ］）を変更しない。
【０１６４】
ｃ−２）ノンレガシー無線通信端末（ＨＥ  ＳＴＡ）の場合
【０１６５】
ｃ-２−１）ＡＣに当たるＣＷ値（ＣＷ［ＡＣ］）がＡＣに当たるＣＷｍａｘ値（ＣＷｍａｘ［ＡＣ］）より小さければ、無線通信端末はＡＣに当たるＣＷ値（ＣＷ［ＡＣ］）を（ＣＷ［ＡＣ］＋１）×２−１とＣＷｍｉｎ値（ＣＷｍｉｎ［ＡＣ］）のうち大きい値に設定する。
【０１６６】
ｃ−２−２）ＡＣに当たるＣＷ値（ＣＷ［ＡＣ］）がＡＣに当たるＣＷｍａｘ値（ＣＷｍａｘ［ＡＣ］）と同じであれば、無線通信端末はＡＣに当たるＣＷ値（ＣＷ［ＡＣ］）を変更しない。
【０１６７】
ｃ−２−３）ＡＣに当たるＣＷ値（ＣＷ［ＡＣ］）がＡＣに当たるＣＷｍａｘ値（ＣＷｍａｘ［ＡＣ］）より大きければ、無線通信端末はＡＣに当たるＣＷ値（ＣＷ［ＡＣ］）をＣＷｍａｘ値（ＣＷｍａｘ［ＡＣ］）に設定する。
【０１６８】
図２１は、本発明の実施例による無線通信端末がＥＤＣＡパラメータセットを変更しながらＣＷ値を変更する動作を示す図である。
【０１６９】
図２０を介して説明した実施例では、ノンレガシー無線通信端末（ＨＥ  ＳＴＡ）の動作のみが考慮されている。しかし、ＭＵ  ＥＤＣＡパラメータセットが適用されないレガシー無線通信端末（ｎｏｎ−ＨＥ  ＳＴＡ）にも類似した問題が発生する恐れがある。レガシー無線通信端末（ｎｏｎ−ＨＥ  ＳＴＡ）もＥＤＣＡパラメータセットのうち一部を変更することがあるためである。よって、無線通信端末は上述したｃ）においていかのように動作する。
【０１７０】
ｃ）その他（ｏｔｈｅｒｗｉｓｅ）
【０１７１】
ｃ−１）ＡＣに当たるＣＷ値（ＣＷ［ＡＣ］）がＡＣに当たるＣＷｍｉｎ値（ＣＷｍｉｎ［ＡＣ］）より小さければ、無線通信端末はＡＣに当たるＣＷ値（ＣＷ［ＡＣ］）をＣＷｍｉｎ値（ＣＷｍｉｎ［ＡＣ］）に設定する。
【０１７２】
ｃ−２）ＡＣに当たるＣＷ値（ＣＷ［ＡＣ］）がＡＣに当たるＣＷｍｉｎ値（ＣＷｍｉｎ［ＡＣ］）より大きく、ＣＷｍａｘ値（ＣＷｍａｘ［ＡＣ］）値より小さいか同じであれば、無線通信端末はＡＣに当たるＣＷ値（ＣＷ［ＡＣ］）を（ＣＷ［ＡＣ］＋１）×２−１に設定する。
【０１７３】
ｃ−３）ＡＣに当たるＣＷ値（ＣＷ［ＡＣ］）がＡＣに当たるＣＷｍａｘ値（ＣＷｍａｘ［ＡＣ］）より大きければ、無線通信端末はＡＣに当たるＣＷ値（ＣＷ［ＡＣ］）をＣＷｍａｘ値（ＣＷｍａｘ［ＡＣ］）に設定する。
【０１７４】
他の実施例において、無線通信端末は上述したｃ）において以下のように動作する。
【０１７５】
ｃ）その他（ｏｔｈｅｒｗｉｓｅ）
【０１７６】
ｃ−１）ＡＣに当たるＣＷ値（ＣＷ［ＡＣ］）がＡＣに当たるＣＷｍｉｎ値（ＣＷｍｉｎ［ＡＣ］）より小さければ、無線通信端末はＡＣに当たるＣＷ値（ＣＷ［ＡＣ］）をＣＷｍｉｎ値（ＣＷｍｉｎ［ＡＣ］）に設定する。
【０１７７】
ｃ−２）ＡＣに当たるＣＷ値（ＣＷ［ＡＣ］）がＡＣに当たるＣＷｍｉｎ値（ＣＷｍｉｎ［ＡＣ］）より大きく、ＣＷｍａｘ値（ＣＷｍａｘ［ＡＣ］）値より小さければ、無線通信端末はＡＣに当たるＣＷ値（ＣＷ［ＡＣ］）を（ＣＷ［ＡＣ］＋１）×２−１に設定する。
【０１７８】
ｃ−３）ＡＣに当たるＣＷ値（ＣＷ［ＡＣ］）がＡＣに当たるＣＷｍａｘ値（ＣＷｍａｘ［ＡＣ］）と同じであれば、無線通信端末はＡＣに当たるＣＷ値（ＣＷ［ＡＣ］）を変更しない。
【０１７９】
ｃ−４）ＡＣに当たるＣＷ値（ＣＷ［ＡＣ］）がＡＣに当たるＣＷｍａｘ値（ＣＷｍａｘ［ＡＣ］）より大きければ、無線通信端末はＡＣに当たるＣＷ値（ＣＷ［ＡＣ］）をＣＷｍａｘ値（ＣＷｍａｘ［ＡＣ］）に設定する。
【０１８０】
また他の実施例において、無線通信端末は上述したｃ）において以下のように動作する。
【０１８１】
ｃ）その他（ｏｔｈｅｒｗｉｓｅ）
【０１８２】
ｃ−１）ＡＣに当たるＣＷ値（ＣＷ［ＡＣ］）がＣＷｍａｘ値（ＣＷｍａｘ［ＡＣ］）より小さければ、無線通信端末はＡＣに当たるＣＷ値（ＣＷ［ＡＣ］）を（ＣＷ［ＡＣ］＋１）×２−１に設定する。
【０１８３】
ｃ−２）ＡＣに当たるＣＷ値（ＣＷ［ＡＣ］）がＡＣに当たるＣＷｍａｘ値（ＣＷｍａｘ［ＡＣ］）より大きいか同じであれば、無線通信端末はＡＣに当たるＣＷ値（ＣＷ［ＡＣ］）をＡＣに当たるＣＷ値（ＣＷ［ＡＣ］）をＣＷｍａｘ値（ＣＷｍａｘ［ＡＣ］）に設定する。
【０１８４】
上述したように、ベース無線通信端末はＭＵ  ＥＤＣＡパラメータセットに関する情報をシグナリングする。 ＭＵ  ＥＤＣＡパラメータセットに関する情報の具体的な形式については、図２２乃至図２３を介して説明する。
【０１８５】
図２２は、本発明の実施例によるＭＵ  ＥＤＣＡパラメータセットエレメントの具体的な形式を示す図である。
【０１８６】
本発明の実施例によるＭＵ  ＥＤＣＡパラメータセットエレメントは、ＭＵ  ＥＤＣＡパラメータセットエレメントを識別するためのＥｌｅｍｅｎｔ  ＩＤフィールドとＥｌｅｍｅｎｔ  ＩＤ  ｅｘｔｅｎｓｉｏｎフィールドを含む。また、ＭＵ  ＥＤＣＡパラメータセットエレメントは、ＭＵ  ＥＤＣＡ  ＱｏＳ  Ｉｎｆｏフィールドを含む。ＭＵ  ＥＤＣＡ  ＱｏＳ  Ｉｎｆｏフィールドは、ＭＵ  ＥＤＣＡパラメータセットが変更されるたびに値が変更されるＭＵ  ＥＤＣＡ  Ｐａｒａｍｅｔｅｒ  Ｓｅｔ  Ｕｐｄａｔｅ  Ｃｏｕｎｔフィールドを含む。詳しくは、ベース無線通信端末がＭＵ  ＥＤＣＡパラメータセットを変更する際、ベース無線通信端末はＭＵ  ＥＤＣＡ  Ｐａｒａｍｅｔｅｒ  Ｓｅｔ  Ｕｐｄａｔｅ  Ｃｏｕｎｔフィールド値を１ずつ増加させる。ＭＵ  ＥＤＣＡパラメータセットエレメントを受信した無線通信端末は、ＭＵ  ＥＤＣＡ  Ｐａｒａｍｅｔｅｒ  Ｓｅｔ  Ｕｐｄａｔｅ  Ｃｏｕｎｔフィールド値に基づいてＭＵ  ＥＤＣＡパラメータセットの変更可否を判断する。ＭＵ  ＥＤＣＡ  Ｐａｒａｍｅｔｅｒ  Ｓｅｔ  Ｕｐｄａｔｅ  Ｃｏｕｎｔフィールド以外のＭＵ  ＱｏＳ  Ｉｎｆｏフィールドの他のフィールドは、ＥＤＣＡ  ＱｏＳ  Ｉｎｆｏフィールドと同じ形式を有する。
【０１８７】
また、ＭＵ  ＥＤＣＡパラメータセットエレメントはＭＵ  ＥＤＣＡタイマーに関する情報を含む。詳しくは、ＭＵ  ＥＤＣＡパラメータセットエレメントは、ＭＵ  ＥＤＣＡタイマーの満了時間を示す情報を含む。
【０１８８】
また、ＭＵ  ＥＤＣＡパラメータセットエレメントは各ＡＣに当たる情報を示す複数のＭＵ  ＡＣ  Ｐａｒａｍｅｔｅｒ  Ｒｅｃｏｒｄフィールドを含む。詳しくは、ＭＵ  ＥＤＣＡパラメータセットエレメントは、ＭＵ  ＡＣ＿ＢＥ  Ｐａｒａｍｅｔｅｒ  Ｒｅｃｏｒｄフィールド、ＭＵ  ＡＣ＿ＢＫ  Ｐａｒａｍｅｔｅｒ  Ｒｅｃｏｒｄフィールド、ＭＵ  ＡＣ＿ＶＩ  Ｐａｒａｍｅｔｅｒ  Ｒｅｃｏｒｄフィールド、及びＭＵ  ＡＣ＿ＶＯ  Ｐａｒａｍｅｔｅｒ  Ｒｅｃｏｒｄフィールドを含む。ＭＵ  ＡＣ  Ｐａｒａｍｅｔｅｒ  Ｒｅｃｏｒｄフィールドは、ＡＣＩ／ＡＩＦＳＮフィールドとＥＣＷｍｉｎ／ＥＣＷｍａｘフィールドを含む。ＭＵ ＥＤＣＡパラメータセットエレメントを受信した無線通信端末は、ＭＵ  ＡＣ  Ｐａｒａｍｅｔｅｒ  Ｒｅｃｏｒｄフィールドに基づいて各ＡＣに当たるＭＵ  ＥＤＣＡパラメータセット情報を適用する。詳しくは、ＭＵ  ＥＤＣＡパラメータセットエレメントを受信した無線通信端末は、ＭＵ  ＡＣ  Ｐａｒａｍｅｔｅｒ  Ｒｅｃｏｒｄフィールドに基づいてＭＩＢ（ｍａｎａｇｅｍｅｎｔｔ  ｉｎｆｏｍａｔｉｏｎ  ｂａｓｅ）  ａｔｔｒｉｂｕｔｅを設定する。
【０１８９】
図２３は、本発明の更に他の実施例によるＭＵ  ＥＤＣＡパラメータセットエレメントの具体的な形式を示す図である。
【０１９０】
ベース無線通信端末がビーコンフレームからＭＵ  ＥＤＣＡパラメータセットエレメントを伝送しない場合でも、ベース無線通信端末はビーコンフレームを使用してＭＵ  ＱｏＳ  Ｉｎｆｏフィールドを伝送することができる。詳しくは、ベース無線通信端末は、ＭＵ  ＥＤＣＡパラメータセットエレメント以外のエレメントを介してＭＵ  ＱｏＳ  Ｉｎｆｏフィールドを伝送する。具体的な実施例において、ベース無線通信端末は、ＭＵ  ＥＤＣＡパラメータセットエレメント以外のＱｏＳ関連エレメントを介してＭＵ  ＱｏＳ  Ｉｎｆｏフィールドを伝送する。
【０１９１】
他の具体的な実施例において、ベース無線通信端末は、ＭＵ  ＱｏＳ  Ｉｎｆｏフィールドを含まないＭＵ  ＥＤＣＡパラメータセットエレメントを伝送する。この際、ＭＵ  ＥＤＣＡパラメータセットエレメントの具体的な形式は図２３のようである。ＱｏＳ  Ｉｎｆｏフィールドを受信した無線通信端末は、ＥＤＣＡ  Ｐａｒａｍｅｔｅｒ  Ｓｅｔ  Ｕｐｄａｔｅ  Ｃｏｕｎｔフィールドに基づいて無線通信端末が変更されたＥＤＣＡパラメータセットを適用できなかったのかを判断する。無線通信端末が変更されたＥＤＣＡパラメータセットを適用できなかったと判断し、ビーコンフレームがＥＤＣＡパラメータセットエレメントを含まなければ、無線通信端末はベース無線通信端末にプローブ要請フレームを伝送し、ＥＤＣＡパラメータセットエレメントの伝送を要請する。ベース無線通信端末がＭＵ  ＱｏＳ  ＩｎｆｏフィールドをＭＵ  ＥＤＣＡパラメータセット以外に他のエレメントと共に伝送することが許容されなければ、ＭＵ  ＱｏＳ  Ｉｎｆｏフィールドが上述したＱｏＳ  Ｉｎｆｏフィールドのような役割することができず、ＭＵ  ＱｏＳ  Ｉｎｆｏフィールドを伝送する必要性もなくなる。よって、ＭＵ  ＱｏＳ  ＩｎｆｏフィールドをＭＵ  ＥＤＣＡパラメータセットエレメント以外に他のエレメントと共に伝送することが許容されなければ、ベース無線通信端末はＭＵ  ＱｏＳ  Ｉｎｆｏフィールドを含まないＭＵ ＥＤＣＡパラメータセットエレメントを伝送する。
【０１９２】
無線通信端末は、内部ＥＤＣＡキュー（ｑｕｅｕｅ）を使用して、複数のＡＣそれぞれに当たるデータに対する内部競争手順を行う。詳しくは、無線通信端末は、キューに貯蔵されるデータのアクセスカテゴリに応じて区分される複数のＥＤＣＡキューを運営する。また、無線通信端末は複数のＥＤＣＡキューそれぞれからバックオフタイマーに当たる時間に基づいてチャネルにアクセスするバックオフ手順を行う。この際、無線通信端末がＥＤＣＡキューを使用する方法に応じて、図２４乃至図２７を介して詳しく説明する。
【０１９３】
図２４は、本発明の実施例による無線通信端末のＵＬ  ＭＵ伝送後のＥＤＣＡ動作を示す図である。
【０１９４】
無線通信端末は、バックオフ手順において各スロットの境界で以下のように動作する。
【０１９５】
１）バックオフタイマーが０ではなければ、無線通信端末はバックオフタイマーの値を１だけ減少させる。
【０１９６】
２）ＥＤＣＡキューにデータが存在し、バックオフタイマーが０であって、ユーザ優先度（Ｕｓｅｒ  Ｐｒｉｏｒｉｔｙ、ＵＰ）が高い他のＥＤＣＡキューにおいて伝送が試みられなければ、無線通信端末は該当ＥＤＣＡキューのデータのための伝送シーケンスを始める。
【０１９７】
３）ＥＤＣＡキューにデータが存在し、バックオフタイマーが０であって、ユーザ優先度（ＵＰ）が高い他のＥＤＣＡキューにおいて伝送が試みられれば、無線通信端末は内部衝突（ｉｎｔｅｒｎａｌ  ｃｏｌｌｉｓｉｏｎ）による動作を行う。
【０１９８】
４）それ以外の状況において、無線通信端末はいかなる動作も行わない。
【０１９９】
但し、バックオフタイマーは０で、無線通信端末のＥＤＣＡキューが空いていれば、スロットの境界（ｂｏｕｎｄａｒｙ）で無線通信端末がいかなる動作をすべきであるのかが明確に定義されていないため問題になる。詳しくは、以下のような状況においてバックオフタイマーが０であれば、無線通信端末のＥＤＣＡキューが空いている可能性がある。
【０２００】
上述したように、ベース無線通信端末はトリガー情報を伝送して無線通信端末の上り伝送をトリガーする。この際、ベース無線通信端末は、バックオフ手順を介してトリガー情報を伝送するためのＴＸＯＰを獲得する。よって、無線通信端末は、ＵＬ  ＭＵ伝送を介して伝送されたＡＣに対するバックオフタイマーをＵＬ  ＭＵ伝送前の状態のままに維持することができる。この際、無線通信端末は該当ＡＣに対するバックオフ手順を再開してチャネルアクセスを試みる。バックオフタイマーが０に達するまで、該当ＡＣのＥＤＣＡキューにデータが到達しなくてもよい。
【０２０１】
また、図１９乃至図２１を介して説明したように、無線通信端末が伝送を試みて失敗した場合ではなければ、ＥＤＣＡパラメータセットが変更された場合であってもＣＷ値はそのまま維持される。また、該当ＡＣのＥＤＣＡキューが空いている（ｅｍｐｔｙ）状態で新たなデータが該当ＡＣのＥＤＣＡキューに到着したら、無線通信端末は現在のＣＷうちから無作為の整数値を獲得してバックオフタイマーを設定する。よって、無線通信端末は、以前のＥＤＣＡパラメータセットに応じて演算されたＣＷを使用して新たなバックオフタイマーを獲得する。例えば、図２４の実施例において、無線通信端末はバース無線通信端末からトリガーフレーム（ＴＦ）を受信する。この際、無線通信端末はＡＣがＶＯであるデータに対するバックオフ手順を中断する。無線通信端末は、バックオフタイマー４とＣＷ値１２７を維持する。無線通信端末は、ベース無線通信端末にトリガーフレームに基づいてＡＣがＶＯのＱｏＳデータ（ＴＩＤ１、ＴＩＤ３）を含むトリガー基盤ＰＰＤＵを伝送する。無線通信端末は、ベース無線通信端末からＭ−ＢＡフレームを受信する。無線通信端末は上述したようにＭ−ＢＡフレームを受信し、ＭＵ  ＥＤＣＡパラメータセットを適用する。次に、無線通信端末はバックオフタイマーの値が４で、ＣＷ値が１２７のバックオフ手順を再開する。無線通信端末がアクセスするチャネルが、ＡＩＦＳに当たる時間及びバックオフタイマー値４に当たる時間の間に遊休である。よって、バックオフタイマーは０になる。但し、無線通信端末はトリガー基盤ＰＰＤＵを使用してＡＣがＶＯの全てのデータを伝送したため、ＶＯのためのＥＤＣＡキューは空いている状態である。無線通信端末のＶＯのためのＥＤＣＡキューに新たなデータが到着したら、無線通信端末はＭＵ  ＥＤＣＡパラメータセットのＣＷｍｉｎ及びＣＷｍａｘとは関係なく、従来のＣＷ値１２７のうちから無作為の値６６を獲得して、バックオフタイマー値に設定する。
【０２０２】
また、ＵＬ  ＭＵ伝送とは関係なくＥＤＣＡキューが空いており、バックオフタイマーが０であれば、以下のような状況で発生する。無線通信端末がプライマリーＡＣのためのＥＤＣＡキューの全てのデータを伝送し、バックオフタイマーの値が０に到達するまでプライマリーＡＣのためのＥＤＣＡキューに追加のデータが到着していないことがある。また、ベース無線通信端末がＭＵ−ＭＩＭＯ或いはＤＬ  ＯＦＤＭＡを利用してＤＬ  ＭＵ伝送をする際、ベース無線通信端末はプライマリーＡＣでチャネルを占有し、プライマリーＡＣ以外の他のＡＣに当たるデータをプライマリーＡＣに当たるデータと共に伝送する。この際、プライマリーＡＣ以外の他のＡＣに当たるバックオフタイマーが残っており、該当ＡＣのＥＤＣＡキューは空いている状態になる。また、ＢＡ合意のあるＡＣのうちいずれか一つのＡＣに当たる（Ａ−）ＭＳＤＵが残っており、該当ＭＳＤＵのライフタイム（ｌｉｆｅｔｉｍｅ）が満了されたら、無線通信端末は該当（Ａ−）ＭＳＤＵを廃棄する。この際、無線通信端末のいずれか一つのＡＣのためのＥＤＣＡキューが空いている状態で、バックオフタイマーが０に達する。
【０２０３】
ＥＤＣＡキューが空いており、バックオフタイマーが０であれば、スロットの境界における無線通信端末の動作については図２５乃至図２７を介して詳しく説明する。
【０２０４】
図２５は、本発明の実施例による無線通信端末のＥＤＣＡキューが空いており、バックオフタイマーが０である際の無線通信端末の動作を示す図である。
【０２０５】
ＥＤＣＡキューが空いており、バックオフタイマーが０であれば、スロットの境界において無線通信端末はいかなる動作も行わない。詳しくは、無線通信端末はバックオフタイマーを０に維持する。また、無線通信端末は伝送シーケンスを始めない。具体的な実施例において、無線通信端末はＥＤＣＡＦ（ＥＤＣＡ  ｆｕｎｃｔｉｏｎ）の全ての状態変数をそのまま維持する。図２５の実施例において、ＶＯのための無線通信端末のＥＤＣＡキューが空いている状態でバックオフタイマー（ＢＯ［ＶＯ］）は０に到達する。この際、無線通信端末はいかなる動作も行わない。
【０２０６】
図２６は、本発明の他の実施例による無線通信端末のＥＤＣＡキューが空いており、バックオフタイマーが０である際の無線通信端末の動作を示す図である。
【０２０７】
ＥＤＣＡキューが空いており、バックオフタイマーが０であれば、スロットの境界において無線通信端末はバックオフ手順を更に始める。この際、無線通信端末はＣＷ値をそのまま維持する。無線通信端末が伝送に失敗した場合ではないため、ＣＷを２倍にする（ｄｏｕｂｌｉｎｇ）必要がないためである。詳しくは、無線通信端末はバックオフタイマーを除いたＥＤＣＡＦの全ての状態変数をそのまま維持する。また、ＥＤＣＡキューが空いており、バックオフタイマーが０である状況が更に発生すれば、無線通信端末はバックオフ手順を更に始める。図２６の実施例において、ＶＯのための無線通信端末のＥＤＣＡキューが空いている状態でバックオフタイマー（ＢＯ［ＶＯ］）は０に到達する。無線通信端末は、他のＥＤＣＡＦ状態変数を全て維持したまま、ＶＯに当たるＣＷ（ＣＷ（ＶＯ））のうちから無作為の値１０を獲得し、１０を使用してバックオフタイマー（ＢＯ［ＶＯ］）を設定する。
【０２０８】
図２７は、本発明のまた他の実施例による無線通信端末のＥＤＣＡキューが空いており、バックオフタイマーが０である際の無線通信端末の動作を示す図である。
【０２０９】
ＥＤＣＡのキューが空いており、バックオフタイマーが０であれば、スロットの境界で無線通信端末はＥＤＣＡＦを初期化する。この際、無線通信端末はＣＷをＣＷｍｉｎに設定する。また、無線通信端末はＱＳＲＣとＯＬＲＣを初期値に設定する。詳しくは、無線通信端末はＯＳＲＣとＯＬＲＣを０に設定する。無線通信端末はＥＤＣＡＦを初期化した後、更にバックオフ手順を始める。この際、無線通信端末はＣＷ値をそのまま維持する。無線通信端末が伝送に失敗した場合ではないため、ＣＷを２倍にする必要がないためである。
【０２１０】
また、ＥＤＣＡキューが空いており、バックオフタイマーが０である状況が更に発生すれば、スロットの境界で無線通信端末は更にＥＤＣＡＦを初期化する。無意味な初期化を防止するために、ＥＤＣＡＦの状態変数が初期値を維持すれば、無線通信端末は初期化を行わなくてもよい。
【０２１１】
図２８は、本発明の実施例による無線通信端末の動作を示す図である。
【０２１２】
本発明の実施例による無線通信端末は、伝送するデータの優先度に応じてチャネルにアクセスする（Ｓ２８０１）。詳しくは、無線通信端末は上述したＥＤＣＡ手順に応じてチャネルにアクセスする。この際、無線通信端末ベース無線通信端末である。また、無線通信端末は、ベース無線通信端末煮連結された（ａｓｓｏｃｉａｔｅｄ）無線通信端末である。
【０２１３】
ベース無線通信端末と無線で通信する無線通信端末は、ＵＬ  ＭＵ伝送がスケジューリングされるのかに基づいて、無線通信端末はチャネルアクセスに使用するパラメータセットを第１パラメータセットから第２パラメータセットに転換する。詳しくは、無線通信端末は、ベース無線通信端末が無線通信端末のＵＬ  ＭＵ伝送の参加をトリガーするのかに基づいて、チャネルアクセスで使用するパラメータセットを第１パラメータセットから第２パラメータセットに転換する。また、ベース無線通信端末は無線通信端末にトリガーフレームを伝送し、ベース無線通信端末が無線通信端末のＵＬ  ＭＵ伝送の参加をトリガーする。無線通信端末は、トリガーフレームのｕｓｅｒ  Ｉｎｆｏフィールドが無線通信端末のＡＩＤを含むのかに応じて、ベース無線通信端末が無線通信端末のＵＬ  ＭＵ伝送の参加をトリガーするのかを判断する。
【０２１４】
この際、チャネルアクセスに使用するパラメータセットは、データの優先度に応じてチャネルにアクセスするために使用されるパラメータの集合である。詳しくは、チャネルアクセスに使用されるパラメータセットは、上述したＥＤＣＡパラメータセットである。詳しくは、ＥＤＣＡパラメータセットはＣＷに関するパラメータを含む。この際、ＣＷに関するパラメータはＣＷｍｉｎとＣＷｍａｘのうち少なくともいずれか一つを含む。また、ＥＤＣＡパラメータセットは、無線通信端末がバックオフ手順を始めるために待機する予め指定された時間に関するパラメータ値を含む。この際、予め指定された時間は上述したＡＩＦＳである。
【０２１５】
また、無線通信端末はデータのアクセスカテゴリ別に第１パラメータセットから第２パラメータセットに転換するのかを決定する。また、無線通信端末がＢＳＲを伝送した際、無線通信端末は第１パラメータセットから第２パラメータセットに転換する。他の具体的な実施例において、無線通信端末がＵＬ  ＭＵ伝送に関する情報を獲得した際、無線通信端末は第１パラメータセットから第２パラメータセットに転換する。また他の具体的な実施例において、無線通信端末は前記ベース無線通信端末のトリガリングに応じて前記ベース無線通信端末にトリガー基盤ＰＰＤＵを伝送する。この際、無線通信端末はトリガー基盤ＰＰＤＵを含むＭＰＤＵに関する即刻の応答に応じて、第１パラメータセットから第２パラメータセットに転換する。詳しくは、無線通信端末がトリガー基盤ＰＰＤＵが含むＭＰＤＵに対する即刻の応答の受信に終了した際、無線通信端末は第１パラメータセットから第２パラメータセットに転換する。トリガー基盤ＰＰＤＵが含むＭＰＤＵは、ＱｏＳデータフレームである。
【０２１６】
無線通信端末は、タイマーを設定したときから一定時間が経過するまで第２パラメータセットの適用条件が満足されなければ、ＭＵ  ＥＤＣＡパラメータセットの適用を終了する第２パラメータセットタイマーを設定する。詳しくは、無線通信端末がトリガー基盤ＰＰＤＵが含むＭＰＤＵに対する即刻の応答を受信するのかに基づいて、無線通信端末は即刻の応答の受信に応じて第２パラメータセットタイマーを設定する。第２パラメータセットタイマーが満了したら、無線通信端末は第２パラメータセットの適用を終了する。また、無線通信端末が第１パラメータセットから第２パラメータセットにて転換する際、無線通信端末は第２パラメータセットタイマーを設定する。また、無線通信端末はトリガー基盤ＰＰＤＵが含むＭＰＤＵが要請する応答の形態に基づいて、第１パラメータセットから第２パラメータセットに転換する時期を決定する。また、無線通信端末はトリガー基盤ＰＰＤＵが含むＭＰＤＵが要請する応答の形態に基づいて、第２パラメータセットタイマーの設定時期を決定する。無線通信端末が伝送したトリガー基盤ＰＰＤＵが含むＭＰＤＵがＡＣＫを要請しなければ、無線通信端末はトリガー基盤ＰＰＤＵの伝送を終了した際、第２パラメータセットタイマーを設定する。また、無線通信端末はアクセスカテゴリ別に第２パラメータセットタイマーを設定する。詳しくは、トリガー基盤ＰＰＤＵが含むＭＰＤＵがＡＣＫを要請しなければ、無線通信端末はトリガー基盤ＰＰＤＵの伝送を終了した際、パラメータセットを第１パラメータセットから第２パラメータセットに転換し、第２パラメータセットタイマーを設定する。上述したように、トリガー基盤ＰＰＤＵが含むＭＰＤＵは、ＱｏＳデータフレームである。無線通信端末の具体的な動作は、図６乃至図１８を介して説明した通りである。
【０２１７】
また、無線通信端末がバックオフ手順を行いながら、バックオフ手順に使用されるパラメータセットの変数が変更される。ＣＷ値がＣＷｍａｘより大きければ、無線通信端末はＣＷ値をＣＷｍａｘに設定する。また、ＣＷ値がＣＷｍｉｎより小さければ、無線通信端末はＣＷ値をＣＷｍｉｎに設定する。詳しくは、無線通信端末が現在使用中の第１パラメータセットを第２パラメータセットに転換する際、無線通信端末はバックオフ手順で現在使用中のバックオフタイマーの値を第２パラメータセットに基づいて変更する。具体的な実施例において、無線通信端末はバックオフ手順で現在使用中のバックオフタイマーに第２パラメータセットに基づいて決定された値をかける。無線通信端末が現在使用中の第１パラメータセットを第２パラメータセットに転換する際、無線通信端末はバックオフ手順で現在使用中のＣＷに関するパラメータ値を第２パラメータセットに基づいて変更する。この際、ＣＷに関するパラメータはＣＷｍｉｎとＣＷｍａｘを含む。詳しくは、無線通信端末は、図１９乃至図２１を介して説明した実施例のように動作する。
【０２１８】
無線通信端末は、キューに貯蔵されるデータのアクセスカテゴリに応じて区分される複数のキューを運営する。また、無線通信端末は、複数のキューそれぞれからバックオフタイマーに当たる時間に基づいてチャネルにアクセスするバックオフ手順を行う。この際、キューは上述したＥＤＣＡキューを示す。キューに貯蔵されたデータがなく、該当キューに当たるバックタイマーが０であれば、無線通信端末はスロットの境界でいかなる動作も行わなくてもよい。この際、無線通信端末はバックオフタイマーを０に維持する。他の具体的な実施例において、無線通信端末はスロットの境界で無線通信端末はバックオフ手順を更に始める。この際、無線通信端末はＣＷ値をそのまま維持する。また他の具体的な実施例において、無線通信端末はスロットの境界でチャネルアクセスパラメータセットを初期化する。この際、無線通信端末はＣＷをＣＷｍｉｎに設定する。また、無線通信端末はＱＳＲＣとＯＬＲＣを初期値に設定する。詳しくは、無線通信端末はＱＳＲＣとＯＬＲＣを０に設定する。詳しくは、無線通信端末は、図２４乃至図２７を介して説明した実施例のように動作する。
【０２１９】
無線通信端末は、アクセスしたチャネルを介してデータを伝送する（Ｓ２８０３）。
【０２２０】
上記のように、無線LAN通信を例に挙げて、本発明を説明したが、本発明はこれに限定せず、携帯電話通信などの他の通信システムでも同様に適用することができる。また、本発明の方法、デバイス、およびシステムは、特定の実施例に関連して説明されたが、本発明の構成要素、動作の一部または全部は、汎用ハードウェアアーキテクチャを有するコンピュータシステムを使用して実装することができる。
【０２２１】
これまで実施例に説明された特徴、構造、効果などは、本発明の少なくとも一つの実施例に含まれるが、必ずしも一つの実施例にのみ限定されない。なお、各実施例に例示されている特徴、構造、効果などは、実施例の属する分野の通常の知識を有する者によって他の実施例についても組み合わせられるかまたは変形されて実施されてもよい。よって、このような組み合わせと変形に関する内容は、本発明の範囲に含まれると解釈すべきである。
【０２２２】
これまで実施例を中心に説明したが、これは単なる例示であって本発明を限定するものではなく、本発明の属する分野の通常の知識を有する者であれば、本実施例の本質的な特性を逸脱しない範囲内で前記に例示されていない様々な変形と応用が可能であることを理解できるはずである。例えば、実施例に具体的に示した各構成要素は変形して実施されてもよいものである。そして、このような変形と応用に関する差は、添付した特許請求の範囲で規定する本発明の範囲に含まれると解釈すべきである。
【図１】
2019527005.tif 000003
【図２】
2019527005.tif 000004
【図３】
2019527005.tif 000005
【図４】
2019527005.tif 000006
【図５】
2019527005.tif 000007
【図６】
2019527005.tif 000008
【図７】
2019527005.tif 000009
【図８】
2019527005.tif 000010
【図９（ａ）】
2019527005.tif 000011
【図９（ｂ）】
2019527005.tif 000012
【図１０（ａ）】
2019527005.tif 000013
【図１０（ｂ）】
2019527005.tif 000014
【図１１】
2019527005.tif 000015
【図１２（ａ）】
2019527005.tif 000016
【図１２（ｂ）】
2019527005.tif 000017
【図１３】
2019527005.tif 000018
【図１４（ａ）】
2019527005.tif 000019
【図１４（ｂ）】
2019527005.tif 000020
【図１４（ｃ）】
2019527005.tif 000021
【図１５（ａ）】
2019527005.tif 000022
【図１５（ｂ）】
2019527005.tif 000023
【図１６（ａ）】
2019527005.tif 000024
【図１６（ｂ）】
2019527005.tif 000025
【図１６（ｃ）】
2019527005.tif 000026
【図１７（ａ）】
2019527005.tif 000027
【図１７（ｂ）】
2019527005.tif 000028
【図１８（ａ）】
2019527005.tif 000029
【図１８（ｂ）】
2019527005.tif 000030
【図１８（ｃ）】
2019527005.tif 000031
【図１８（ｄ）】
2019527005.tif 000032
【図１９】
2019527005.tif 000033
【図２０】
2019527005.tif 000034
【図２１】
2019527005.tif 000035
【図２２】
2019527005.tif 000036
【図２３】
2019527005.tif 000037
【図２４】
2019527005.tif 000038
【図２５】
2019527005.tif 000039
【図２６】
2019527005.tif 000040
【図２７】
2019527005.tif 000041
【図２８】
2019527005.tif 000042
【国際調査報告】
2019527005.tif 000043
2019527005.tif 000044
2019527005.tif 000045
2019527005.tif 000046